(57)【特許請求の範囲】
【請求項１】
所定の設置部位に設置される外枠を備えると共に、
遊技盤を保持しつつ左端部が該外枠に軸支され、開放操作が施されて閉鎖状態から開放状態に変化可能な本体扉枠と、
前記遊技盤の前面部を覆う透明板を具備しつつ左端部が前記本体扉枠に軸支され、開放操作が施されて閉鎖状態から開放状態に変化可能な透明板保持扉枠と、
左端部が前記本体扉枠のうちで前記透明板保持扉枠が軸支された位置よりも下方に軸支され、該本体扉枠から前方に突出する状態に配置された受皿本体を具備し、遊技媒体の貯留室が上方に取出口を開口させつつ正面前方から両側方に至る部位に前記受皿本体で構成される貯留用堤部を配した状態に形成されると共に開放操作が施されて閉鎖状態から開放状態に変化可能な受皿扉ユニットと、
を扉型部材として含む遊技機であって、
前記貯留用堤部に零出防止体が付設され、該零出防止体の上方への変位と前記受皿本体の下方への変位とのうちの少なくとも一方が可能とされると共に、
前記零出防止体が前記受皿本体の上方への突出を開始させ、若しくは、前記零出防止体が前記受皿本体の上方への突出量を増量させるように前記零出防止体と前記受皿本体との間に上下方向に沿った相対変位を発生させる相対変位発生手段を具備し、
前記相対変位を発生させる動作を停止している相対変位発生手段は、前記受皿扉ユニット、前記本体扉枠及び前記透明板保持扉枠のうちの何れかに施される開放操作に伴って前記相対変位を発生させる動作を開始させ、前記相対変位を発生させる動作を実行中の相対変位発生手段は、前記受皿扉ユニット、前記本体扉枠及び前記透明板保持扉枠の全てが閉鎖状態となってから一定時間が継続することに伴って前記相対変位を発生させる動作を停止させることを特徴とする遊技機。
【請求項２】
前記零出防止体は前記受皿本体の前面部に付設されると共に、
前記零出防止体は前記受皿本体から離間する方向に膨らむ曲板を用いて構成され、
前記零出防止体が、前記受皿本体から離間する方向に膨らむ円弧状の経路に沿って上昇して、前記零出防止体と前記受皿本体との間に上下方向に沿った相対変位を生ずると、前記零出防止体の上端部が前記貯留室を上方から覗き込む位置に到達することを特徴とする請求項１に記載の遊技機。
【発明の詳細な説明】
【技術分野】
【０００１】
本発明は遊技機に関し、セブン機、羽根物、権利物等の弾球遊技機に対して適用することができる。
【背景技術】
【０００２】
遊技機を回胴式遊技機と弾球（弾球式）遊技機とに分類することができる。このうち、回胴式遊技機は遊技媒体としてメダル若しくはパチンコ球を用いる遊技機であり、筐体と称する箱型の外郭体を備えている。そして、この筐体は、前方に開口する外郭本体部とその前部側に開閉可能な状態に装着される受皿扉ユニットとを備えている（特許文献１を参照）。
【０００３】
外郭本体部は遊技機本体の外郭部を構成する部材であり、その内部に図柄表示装置やホッパ等の主要な装置を配設している。また、図柄表示装置は、横方向に並ぶ複数列の表示リール（回胴）を備えている。これらの表示リールは、回転軸を水平にしかも同軸上に並べつつ、遊技機の内部において回転可能とされている。そして、各表示リールの外周面（外周部）にはその周回方向に沿って種々の図柄が連続配置されている。
【０００４】
また、回胴式遊技機を構成する受皿扉ユニットは、左右一方の端部（通常、遊技者から見て左端部）がヒンジ機構を介して筐体に軸支された扉体部と、この扉体部の下方側において前方に突出する状態に配置される受皿本体とを備えている。そして、扉体部の上方側には表示窓が扉体部を貫通する状態に形成され、この表示窓を通じて各表示リールの外周面の一部（前方側に位置する一部）のみが遊技者から視認能とされ、残りの部分は遊技者から視認不可能な状態とされている。
【０００５】
更に、回胴式遊技機を構成する受皿本体では、ホッパや遊技機本体側方の貸出機からコインシュータ等を経由して供給される遊技媒体を背後から受け入れて貯留可能であると共に、この受け入れた遊技媒体を受皿本体外に取り出すための取出口を上面部に開口させている。
【０００６】
回胴式遊技機を構成する受皿扉ユニットは、通常、遊技機本体に対して施錠装置を用いて施錠されている。つまり、回胴式遊技機の使用時（遊技者が遊技を行っているとき）や客待ちの状態にあるとき、受皿扉ユニットは遊技機本体に対して施錠された状態となっている。そして、ホッパへの遊技媒体の補充が必要となったり、遊技機本体内で遊技媒体が詰まった場合等に受皿扉ユニットに開放操作が施される。つまり、パチンコホールの従業員等が鍵等を用いて施錠装置に解錠操作を施した後、受皿扉ユニットに開放動作（ヒンジ機構を支点に手前に回転させる動作）を施して受皿扉ユニットを閉鎖状態から開放状態に変化させる。そして、ホッパへの遊技媒体を補充する作業や、遊技媒体の詰まりを解消する作業を終了すると、従業員等によって受皿扉ユニットに閉鎖操作が施され、受皿扉ユニットが開放状態から閉鎖状態に戻される。尚、通常の回胴式遊技機においては受皿扉ユニットが閉鎖状態に戻されると、自動的に「施錠装置による施錠」が施された状態となる。
【０００７】
一方、弾球遊技機は遊技媒体としてパチンコ球を用いる遊技機であり、遊技機本体と遊技機本体の前部側に開閉可能な状態に装着される受皿扉ユニットとを備えている（特許文献２を参照）。この弾球遊技機を構成する遊技機本体は、外枠と、外枠の左端側に開閉自在に取り付けられると共に遊技盤を着脱自在な状態に保持した本体扉枠（中枠）とを備えている。また、この遊技機本体を構成する本体扉枠には、透明板保持扉枠（前面枠）と、受皿扉ユニットと、補助受皿ユニットとが装着されている。
【０００８】
つまり、本体扉枠の前面部の上方側には、「遊技盤の前面部を覆う透明板（ガラス板）を具備しつつ、左端側がヒンジ機構を介して本体扉枠の左端側に支持され、本体扉枠の前面部の前方に向かって開閉操作可能な状態とされる透明板保持扉枠（前面枠）」が装着されている。また、本体扉枠の前面部側のうちで、透明板保持扉枠の装着位置よりも下方側の部位には、本体扉枠の前面部の前方に向かって開閉操作可能な状態とされる受皿扉ユニットが装着されている。更に、本体扉枠の前面部側のうちで、受皿扉ユニットの下方の部位には補助受皿ユニットが開閉操作不可能な状態で配設されている。
【０００９】
また、弾球遊技機を構成する受皿扉ユニットは、左端部（遊技者から見て左端部）がヒンジ機構を介して遊技機本体（本体扉枠）に軸支された扉体部と、この扉体部から前方に突出する状態に配置される受皿本体とを備えている。そして、この受皿本体では、遊技機本体内の払出装置や遊技機本体側方の貸出機から樋等を経由して供給される遊技球を受け入れて貯留可能であると共にこの受け入れた遊技球を受皿本体外に取り出すための取出口を上面部に開口させている。
【００１０】
弾球遊技機を構成する受皿扉ユニットも、遊技機本体に対して施錠装置を用いて施錠されている。つまり、弾球遊技機の使用時（遊技者が遊技を行っているとき）や客待ちの状態にあるとき、受皿扉ユニットは遊技機本体に対して施錠された状態とされる。そして、遊技機本体内で遊技球が詰まった場合等に受皿扉ユニットに開放操作が施される。つまり、パチンコホールの従業員等が施錠装置に指や鍵等を用いて解錠操作を施した後、受皿扉ユニットに開放動作（ヒンジ機構を支点に手前に回転させる動作）を施して受皿扉ユニットを閉鎖状態から開放状態に変化させる。そして、遊技球の詰まりを解消する作業等を終了すると、従業員等によって受皿扉ユニットに閉鎖操作が施され、受皿扉ユニットを開放状態から閉鎖状態に戻される。尚、弾球遊技機においても受皿扉ユニットが閉鎖状態に戻されると、自動的に施錠装置に施錠が施された状態となる。
【特許文献１】特開２００７−１８１５５６号公報
【特許文献２】特開２００２−３３６４６０号公報
【発明の開示】
【発明が解決しようとする課題】
【００１１】
ところで、何れのタイプの遊技機（回胴式遊技機、弾球遊技機）においても、受皿扉ユニットに開閉操作を施したとき等に、受皿本体から遊技媒体が零れ出てしまうことがある。例えば、受皿本体が満タンの状態若しくは貯留許容量を超える状態である場合等において、受皿扉ユニットに開放操作（開放動作）を施したときの勢いや、受皿扉ユニットに閉鎖操作（閉鎖動作）を施したときの衝撃等で受皿本体から遊技媒体が零れ出てしまうことがある。また、この「遊技媒体の零出」は開放操作（開放動作）の終了時と閉鎖操作（閉鎖動作）の終了時に、特に生じ易くなっている（遊技媒体に加わる慣性力等の影響による）。尚、弾球遊技機においては受皿扉ユニット以外の扉型部材（本体扉枠や透明板保持扉枠）に開閉操作を施したときに受皿扉ユニットに加わる衝撃等が原因で受皿本体から遊技媒体が零れ出てしまうこともある。
【００１２】
かかる「遊技媒体の零出」を生ずると、遊技媒体が遊技機の設置部位（島設備の受け台）やパチンコホールの床面に落下することになる。従って、「受皿扉ユニットから遊技球が誤って零れ出すこと」を抑制すること（つまり、零出を完全に防止するか、零出の可能性を低くすること）が遊技者のみならず、パチンコホールの関係者にとっても望ましい。
【００１３】
本発明は、このような問題を解決するためになされたものであり、その目的とするところは、「受皿扉ユニットから遊技媒体が誤って零れ出すこと」を円滑に抑制できる遊技機を提供することにある。
【課題を解決するための手段】
【００１４】
請求項１記載の遊技機は、
所定の設置部位に設置される外枠を備えると共に、
遊技盤を保持しつつ左端部が該外枠に軸支され、開放操作が施されて閉鎖状態から開放状態に変化可能な本体扉枠と、
前記遊技盤の前面部を覆う透明板を具備しつつ左端部が前記本体扉枠に軸支され、開放操作が施されて閉鎖状態から開放状態に変化可能な透明板保持扉枠と、
左端部が前記本体扉枠のうちで前記透明板保持扉枠が軸支された位置よりも下方に軸支され、該本体扉枠から前方に突出する状態に配置された受皿本体を具備し、遊技媒体の貯留室が上方に取出口を開口させつつ正面前方から両側方に至る部位に前記受皿本体で構成される貯留用堤部を配した状態に形成されると共に開放操作が施されて閉鎖状態から開放状態に変化可能な受皿扉ユニットと、
を扉型部材として含む遊技機であって、
前記貯留用堤部に零出防止体が付設され、該零出防止体の上方への変位と前記受皿本体の下方への変位とのうちの少なくとも一方が可能とされると共に、
前記零出防止体が前記受皿本体の上方への突出を開始させ、若しくは、前記零出防止体が前記受皿本体の上方への突出量を増量させるように前記零出防止体と前記受皿本体との間に上下方向に沿った相対変位を発生させる相対変位発生手段を具備し、
前記相対変位を発生させる動作を停止している相対変位発生手段は、前記受皿扉ユニット、前記本体扉枠及び前記透明板保持扉枠のうちの何れかに施される開放操作に伴って前記相対変位を発生させる動作を開始させ、前記相対変位を発生させる動作を実行中の相対変位発生手段は、前記受皿扉ユニット、前記本体扉枠及び前記透明板保持扉枠の全てが閉鎖状態となってから一定時間が継続することに伴って前記相対変位を発生させる動作を停止させることを特徴とする。
本明細書において参考的に開示する第１の発明（以下、参考発明１という。）に係る遊技機は、
右一方の端部が軸支された扉本体と該扉本体から前方に突出する状態に配置された受皿本体とを具備し、遊技媒体の貯留室が上方に取出口を開口させつつ正面前方から両側方に至る部位に前記受皿本体で構成される貯留用堤部を配した状態に形成されると共に開放操作が施されて閉鎖状態から開放状態に変化可能な受皿扉ユニットを、扉型部材として含む遊技機であって、
前記貯留用堤部に零出防止体が付設され、該零出防止体の上方への変位と前記受皿本体の下方への変位とのうちの少なくとも一方が可能とされると共に、
前記零出防止体が前記受皿本体の上方への突出を開始させ、若しくは、前記零出防止体が前記受皿本体の上方への突出量を増量させるように前記零出防止体と前記受皿本体との間に上下方向に沿った相対変位を発生させる相対変位発生手段を具備し、
前記相対変位を発生させる動作を停止している相対変位発生手段は、前記受皿扉ユニットに施される開放操作に伴って前記相対変位を発生させる動作を開始させ、前記相対変位を発生させる動作を実行中の相対変位発生手段は、当該遊技機を構成する前記扉型部材の閉鎖状態が一定時間継続されることに伴って前記相対変位を発生させる動作を停止させることを特徴とする。
【００１５】
ここで、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、受皿扉ユニットのように、「扉の如く、開閉可能な部材、つまり、扉型部材」において、「左」、「右」、「前」、「後」等は、これらの部材が使用状態にある場合、つまり、閉鎖された状態（閉鎖状態）にある場合を基準としたものである。
【００１６】
また、本明細書において、「扉型部材の開放動作」とは扉型部材を支軸（ヒンジ機構）を支点に手前側（遊技機本体と離間する方向）に回動させる動作」を意味し、「扉型部材の閉鎖動作」とは扉型部材を支軸（ヒンジ機構）を支点に奥側（遊技機本体に近接する方向）に回動させる動作」を意味する。更に、本明細書の「零出経路」とは、貯留室に貯留された遊技媒体が受皿本体から零れ出る際に通過することとなる通過経路を指し、貯留室の上部を起点として「扉本体よりも前方において貯留用堤部の外方」に延びる通過経路である。また、本明細書において「受皿扉ユニットから遊技媒体が誤って零れ出す事態」を単に「遊技媒体の零出」と称することがある。
【００１７】
請求項１の発明及び参考発明１によると、「受皿扉ユニットの開放操作」に伴って相対変位発生手段が「相対変位を発生させる動作」を開始し、受皿本体の上面部の下方に位置していた零出防止体が「零出経路」上への突出を開始する。若しくは、既に「零出経路」上に突出していた零出防止体がその突出量を増加させる。以下、これらの相対変位発生手段によって実現される動作、つまり、前者の「零出防止体の零出経路上への突出を開始させる動作」と後者の「零出防止体の零出経路上への突出量を増加させる動作」とを併せて「抑制動作」と表現することがある。
【００１８】
また、請求項１の発明及び参考発明１によると、受皿扉ユニットに施される開放動作の実行中のみならず、開放動作の終了時においても「抑制動作」が継続される。このため、受皿扉ユニットに開放操作を施す際、貯留室に多量の遊技媒体が貯留されていたとしても、この受皿扉ユニットの開放操作に伴って遊技媒体が零れ出ることを抑制できる。また、「相対変位発生手段」は受皿扉ユニットが開放状態である場合のみならず、閉鎖操作の実行中においても相対変位を生じた状態に維持される。
【００１９】
しかも、受皿扉ユニットへの閉鎖操作が完了した後（つまり、受皿扉ユニットが閉鎖状態に戻された後）も「相対変位を生じた状態」は所定時間維持される。つまり、受皿扉ユニットへの閉鎖操作（閉鎖動作）を完了して受皿扉ユニットが閉鎖状態となった後、所定時間待機する。そして、相対変位発生手段は「相対変位を発生させる動作」を、この待機時間の経過後に停止させる。具体的には、（１）遊技機が受皿扉ユニットのみを扉型部材として備える場合、受皿扉ユニットの閉鎖状態が一定時間継続されることに伴って「相対変位を発生させる動作」を停止させ、（２）遊技機が受皿扉ユニット以外の扉型部材を備える場合、当該遊技機を構成する全ての扉型部材の閉鎖状態が一定時間継続されることに伴って「相対変位を発生させる動作」を停止させる。このため、受皿扉ユニットに閉鎖操作を施す際、貯留室に多量の遊技媒体が貯留されていたとしても「受皿扉ユニットから遊技媒体が誤って零れ出すこと」を抑制すること（零出を防止するか、零出の可能性を低くすること）ができる。
【００２０】
従って、請求項１の発明及び参考発明１によると、受皿扉ユニットの開放時の勢い等による「遊技媒体の零出」及び受皿扉ユニット閉鎖時の衝撃等による「遊技媒体の零出」等を的確に抑制できるばかりが、この零出抑制を円滑に行うことができる。つまり、請求項１の発明及び参考発明１の遊技機では受皿扉ユニットに施される通常の操作（開放操作、閉鎖操作）に連動して「相対変位を発させる動作」を開始したり、終了する。即ち、抑制動作を開始させたり、終了させるための「特別な操作」を行うことが必要とされない。
【００２１】
換言すると、抑制動作の開始や終了のために、「受皿扉ユニットに施す通常の操作と別個・無関係な操作」を手動等で行うことが必要とされない。仮に、別個の操作が必要であるとすると、当該操作の要否判断を誤ったことが原因で零出抑制を行うことができない事態等を生じ得るが、請求項１の発明及び参考発明１ではこの事態を生ずることはない。従って、請求項１の発明及び参考発明１によると、「遊技媒体の零出抑制」のため、パチンコホールの関係者や遊技者等に余計な負担を負わせることがないばかりか、この「遊技球の零出抑制」を円滑に行うことができる。
また、請求項１の発明の遊技機は弾球遊技機への適用例を述べるものである。つまり、弾球遊技機では扉型部材（遊技機の前方に開放動作を行うことが可能な扉型の部材）として、受皿扉ユニットの他に本体扉枠と透明板保持扉枠とを有している。この弾球遊技機においては本体扉枠や透明板保持扉枠に開放操作（開放動作）が施された場合にも受皿扉ユニットに振動等を生じ、受皿扉ユニットから遊技媒体（遊技球）の零出を生ずる可能性がある。
このため、請求項１の発明では、本体扉枠と透明板保持扉枠とのうちの何れかに開放操作（開放動作）が施された場合にも、相対変位発生手段は相対変位を発生させる動作を開始させる。そして、受皿扉ユニットと本体扉枠と透明板保持扉枠とのうちの何れかに施された開放操作（開放動作）に伴って「相対変位を発生させる動作」を開始した相対変位発生手段は、本体扉枠と透明板保持扉枠と受皿扉ユニットとの全てが閉鎖状態で一定時間継続されると、この「相対変位を発生させる動作」を停止する。
【００２２】
各請求項の発明及び各参考発明の「一定時間（作動状態にある相対変位発生手段が、作動停止状態になるために必要とされる閉鎖状態の継続時間）」としては、例えば、１〜２０秒のうちのから選択される何れかの時間、好ましくは、１〜１０秒のうちのから選択される何れかの時間を例示できる。
【００２３】
各請求項の発明及び各参考発明の「受皿本体」は扉本体と協働して貯留室を構成することができる。つまり、貯留室を周回状に包囲する周壁部が受皿本体と扉本体とによって構成され、この周壁部のうちで貯留室の背後に位置する後壁部が扉本体によって構成され、周壁部のそれ以外の部位（以下、「皿側壁部」という。）が受皿本体によって構成される。この「皿側壁部」は周壁部の「前方から両側方に至る部位であって各請求項の発明及び各参考発明の「貯留用堤部」の具体例を構成する。そして、この「皿側壁部」としては「開口部を後方に向けた半周回状の経路線を描く壁部」を例示できる。より具体的には、「開口部を後方に向けた略コ字形状の平面形状」、「開口部を後方に向けた略馬蹄形状の平面形状」、「開口部を後方に向けた略Ｕ字形状の平面形状」、若しくは「開口部を後方に向けた略半円形状（真円の半円、長円の半円、楕円の半円等）の平面形状」等を備える壁部を例示できる。但し、各請求項の発明及び各参考発明の「受皿本体」は単独で貯留室を構成してもよい。つまり、貯留室を周回状に包囲する周壁部が受皿本体によって構成されてもよい。この場合、周壁部のうちで貯留室の正面前方から両側方に至る部位によって貯留用堤部が構成される。
【００２４】
各請求項の発明及び各参考発明において、「受皿扉ユニットの開閉操作に伴う遊技媒体の零出」を完全に（１００パーセント）防止することは必ずしも要求されない。つまり、従来の遊技機（零出防止体や相対変位発生手段等を具備しない遊技機）に比べて、「遊技媒体の零出」の可能性を低くできるだけでも各請求項の発明は有益となるからである。
【００２５】
請求項１の発明及び参考発明１においては相対変位発生手段が「相対変位を発生させる動作」を停止させた状態にあるとき、零出防止体が受皿本体の上方に突出しない状態（零出防止体がその頂部を受皿本体の上面部と同一の高さ若しくは受皿本体の上面部よりも下方に位置させた状態）とされてもよいし、受皿本体の上方に突出する状態とされてもよい。但し、何れの場合においても相対変位発生手段が「相対変位を発生させる動作」を開始したときに、受皿本体の上方に遊技媒体一個分のサイズを超える量だけ突出することが望ましく、遊技媒体二個分のサイズを超える量だけ突出することが更に望ましく、遊技媒体三個分のサイズを超える量だけ突出することが更に一層望ましい。
【００２６】
ここで、この「遊技媒体一個分のサイズ」は「遊技媒体」が「遊技コイン」である場合に「遊技コインの厚み（１．６ｍｍの場合と、１．７ｍｍの場合がある。）」であり、「遊技媒体」が「遊技球」である場合に「遊技球の直径（約１１ｍｍ）」である。尚、「遊技媒体」が「遊技コイン」である場合に、この突出量を「遊技コインの半径（１２．５ｍｍの場合と、１５ｍｍの場合がある。）」を超える量に定めることが更に望ましい。
【００２７】
各請求項の発明及び各参考発明において「零出防止体」の構造は種々選択でき、例えば、板状体（つまり、零出防止板）、棒状体、球状体、その他の形態の部材（キャラクタ、乗り物等をあしらった部材）、若しくは、これらの部材を２つ以上組み合わせて構成される部材等を例示できる。また、「零出防止体」は単一の部材で構成されてもよいし、複数の部材で構成されてもよい。このうち、前者の具体例として、零出経路（特に、貯留室の正面前方に向かう零出経路）を横断可能な板状体を例示できる。また、後者の具体例として、零出経路（特に、貯留室の正面前方に向かう零出経路）を横断する方向に並ぶ（特に、連続配置される）複数個の板状体や棒状体等を例示できる。尚、この複数個の部材（板状体や棒状体等）を連続配置する態様では隣り合う部材間の間隔を、前述の「遊技媒体一個分のサイズ」よりも小さくすることが望ましい。
【００２８】
「零出防止体」の付設範囲は種々選択でき、例えば、貯留用堤部のうちで貯留室と前後に位置合わせされる部位の全域若しくはこの部位のうちの５０％以上の範囲等を選択できる。また、「零出防止体」の付設範囲を「貯留用堤部のうちで貯留室と前後に位置合わせされる部位」以外の部位にも設けることもできる。例えば、受皿本体が前面部と左右の側面部とを備える場合、受皿本体の幅方向（横幅方向）に沿った全域に「零出防止体」が付設されてもよいし、貯留用堤部を左側部から正面前方を経て右側部に至る全域に付設されてもよい。つまり、貯留室を３方（手前側及び両側方）から包囲する状態に「零出防止体」が付設されてもよい。
【００２９】
相対変位発生手段が「相対変位を発生させる動作」を開始する具体的なタイミングを、例えば「受皿扉ユニットへの開放操作の開始時」、「受皿扉ユニットの開放動作の開始時」、「受皿扉ユニットの開放動作の開始が検出された時」、「受皿扉ユニットの開放動作の実行途中」等を基準に定めることができる。このうち、「受皿扉ユニットへの開放操作の開始時」としては、「施錠装置に鍵が挿入されたとき（鍵挿入を検出手段が検出したとき）」若しくは「解錠用レバーの操作が開始されたとき（解錠用レバーの操作開始を検出手段が検出したとき）」等を例示できる。また、「受皿扉ユニットの開放動作の開始が検出された時」としては、「遊技機本体若しくは受皿扉ユニットのうちの少なくとも一方に配設された開放検出手段（例えば、検出スイッチ）」が、「受皿扉ユニットに開放動作が施されたことを検出したとき」等を例示できる。
【００３０】
ここで、「受皿扉ユニットに開放動作を施されたことを検出するための検出手段」としては、「受皿扉ユニットの後面部において基準となる部位と、遊技機本体の前面部において基準となる部位との間の距離が、所定の距離を超えた場合に検出信号を出力する検出スイッチ（扉センサ）」を例示できる。尚、検出スイッチとしては受皿扉ユニットの開放動作量が僅かに増加したところで「受皿扉ユニットの開放動作」を検出可能な検出手段（扉センサ）、（２）「受皿扉ユニットの開放動作量」が所定量（例えば、５ｍｍ〜１０ｍｍ）に到達したところで受皿扉ユニットの開放動作」を検出可能な検出手段（扉センサ）等を例示できる。
【００３１】
尚、この検出手段（扉センサ）としては、例えば「プランジャー式の検出スイッチ」を例示できる。つまり、前後に進退可能な状態に支持されたプランジャーと、このプランジャーを前方（受皿扉ユニットの方向）に付勢する付勢手段とを備えるものを例示できる。この「検出スイッチ」においては、受皿扉ユニットが閉鎖状態（全閉状態）にある場合、プランジャーの前端部が「受皿扉ユニットの後面部において基準となる部位（押圧部）」によって押圧される。このため、プランジャーは付勢手段の付勢力に対抗しつつ後退する。一方、受皿扉ユニットに開放動作が施され、「受皿扉ユニットの後面部において基準となる部位」との距離が拡大すると、それに応じてプランジャーが前進する。そして、受皿扉ユニットの開放動作量が所定量（僅かな量である場合も含む。）に到達してプランジャーの前進量が特定量（僅かな量である場合も含む。）に到達すると、この検出スイッチは検出信号（検知信号）を出力する。尚、各請求項の発明及び各参考発明においては検出手段として、この「プランジャー式の検出スイッチ」に代表される「接触式のスイッチ」の他に「非接触式のスイッチ（光電スイッチ等）」を選択することもできる。
【００３２】
また、「鍵の挿入に伴って相対変位を発生させる態様」を採用する場合、解錠操作を完了することなく（つまり、受皿扉ユニットが閉鎖状態のまま）、鍵が施錠装置から取り外されることがある。かかる場合には受皿扉ユニットの閉鎖状態が一定時間継続されることに伴って相対変位発生手段が「相対変位を発生させる動作」を停止させることとしてもよい。
【００３３】
相対変位発生手段（相対変位発生装置）としては、（１）零出防止体を上方に変位させる上昇手段と、（２）受皿本体の下方に変位させる下降手段と、（３）零出防止体を上方に変位させつつ受皿本体の下方に変位させる上昇下降手段とを例示できる。尚、（３）の上昇下降手段は単一の手段（装置等）で構成されてもよいし、零出防止体を上方に変位させる上昇手段部（上昇装置部）と、受皿本体の下方に変位させる下降手段部（下降装置部）とに分かれていてもよい。
【００３４】
尚、本明細書において「零出防止体を上方に変位させること」は、零出防止体を鉛直上方に変位させることに限定されず、零出防止体を斜め上方に変位させることや、零出防止体を円弧状等の種々の軌道を描きつつ上方に変位させること等も含まれる。また、「受皿本体の下方に変位させること」は、受皿本体を鉛直下方に変位させることに限定されず、受皿本体を斜め下方に変位させることや、受皿本体を円弧状等の種々の軌道を描きつつ下方に変位させること等も含まれる。
【００３５】
相対変位発生手段（相対変位発生装置等）の具体的な態様としては、例えば、（１）バネ等の付勢手段を備えるもの（特に、付勢手段と付勢手段の作動を調節する調節手段とを備えるもの）、（２）相対変位を生じさせるための駆動源を構成するアクチュエータ（ソレノイド、モータ等）を備えるもの等を例示できる。そして、前者の付勢手段を備える場合には、この「付勢手段の動作の停止」及び「付勢手段の動作の停止解除」を選択するための選択手段を設けてもよい。この場合、選択手段の作動を制御する作動制御手段（制御プログラム）を用いて選択手段の作動及び作動の停止を選択することで付勢手段の動作を「停止」及び「停止の解除」を選択することとしてもよい（後述する実施例１等を参照）。また、後者の場合、アクチュエータの作動を制御する作動制御手段（制御プログラム）を用いて相対変位発生手段（相対変位発生装置）の作動及び作動の停止を選択することができる（後述する実施例４等を参照）。尚、これの他に、「受皿扉ユニットに加えられる手動の開閉操作（開閉動作）を相対変位を発生させるための駆動力に変換するための変換機構（リンク機構、カム等）」を備える相対変位発生手段を例示することもできる。
【００３６】
参考発明１は遊技機は、スロットマシン（若しくはパチスロ）と称される回胴式遊技機であってもよいし、弾球遊技機（パチンコ機）であってもよい。
【００３７】
ここで、参考発明１の発明の遊技機が回胴式遊技機である場合、
前方に開口部を有する外郭本体部と、
左端部が該外郭本体部に軸支されて開閉動作可能とされると共に該外郭本体部を閉鎖する閉鎖状態に配置される前記受皿扉ユニットと、
を具備した筐体を備え、
前記外郭本体部内に配設されると共に図柄変動遊技の開始条件が成立すると、回転を開始させる複数個の表示リールを有する図柄表示装置と、
を備えることになる。
【００３８】
この回胴式遊技機では扉型部材として受皿扉ユニットのみを備えるため、参考発明１の「当該遊技機を構成する扉型部材の閉鎖状態が一定時間継続されること」は、「受皿扉ユニットの閉鎖状態が一定時間継続されること」を意味している。尚、回胴式遊技機の場合、受皿本体が「略矩形の平面形状を有しつつ上面部と背面部とを開口させた皿体」として構成される場合がある。この場合、受皿本体の前面壁と左右の側面壁とによって貯留用堤部が構成される。
【００３９】
参考発明１の遊技機が弾球遊技機である場合、
所定の設置部位に設置される外枠と、
遊技盤を保持しつつ左端部が該外枠に軸支され、開放操作が施されて閉鎖状態から開放状態に変化可能な本体扉枠と、
前記遊技盤の前面部を覆う透明板を具備しつつ左端部が前記本体扉枠に軸支され、開放操作が施されて閉鎖状態から開放状態に変化可能な透明板保持扉枠と、
左端部が前記本体扉枠のうちで前記透明板保持扉枠が軸支された位置よりも下方に軸された前記受皿扉ユニット（所謂、上皿ユニット）と、
前記本体扉枠のうちで受皿扉ユニットの下方の部位に配置される補助受皿ユニット（所謂、下皿ユニット）とを備えている。
【００４０】
この弾球遊技機では扉型部材として本体扉枠と透明板保持扉枠と受皿扉ユニットとを備えるため、請求項１の発明及び参考発明１の「当該遊技機を構成する扉型部材の閉鎖状態が一定時間継続される」ことは、「本体扉枠と透明板保持扉枠と受皿扉ユニットとの全てが閉鎖状態で一定時間継続される」ことを意味している。尚、弾球遊技機の場合、受皿本体が「略長円形等の平面形状を有しつつ上面部と背面部とを開口させた皿体」として構成される場合がある。この場合、貯留室を包囲する周壁部のうちで「扉本体で構成される後壁部」を除く部位によって貯留用堤部が構成される。つまり、左端部を扉本体の左端側に当接させ（若しくは支持され）、右端部を扉本体の右端側に当接若させ（若しくは支持され）つつ、扉本体の前方に膨らみ出るように配設される突出する壁部全体によって貯留用堤部が構成される。
【００４１】
また、弾球遊技機を構成する受皿本体においては貯留室の形成箇所が左右の何れかの方向に偏心していたり、受皿本体の上面部に取出口が形成されていない部位（ボタン等が配設される部位であって、以下、「空き領域部」という。）が存在することがある。この場合、零出防止体がこの「空き領域部」等に埋設されてもよい。尚、この弾球遊技機を構成する補助受皿ユニット（下皿ユニット）は、受皿扉ユニット（上皿ユニット）の下方において開閉動作を実行不可能な状態に配置され、受皿扉ユニットの余剰球を貯留する。但し、この受皿扉ユニットも遊技機本体に対して開閉動作を実行可能な状態とすることによって請求項１の発明及び参考発明１の「受皿扉ユニット」の具体例を構成することとしてもよい。
【００４２】
請求項２記載の遊技機は、請求項１に記載の遊技機において、
前記零出防止体は前記受皿本体の前面部に付設されると共に、
前記零出防止体は前記受皿本体から離間する方向に膨らむ曲板を用いて構成され、
前記零出防止体が、前記受皿本体から離間する方向に膨らむ円弧状の経路に沿って上昇して、前記零出防止体と前記受皿本体との間に上下方向に沿った相対変位を生ずると、前記零出防止体の上端部が前記貯留室を上方から覗き込む位置に到達することを特徴とする。
本明細書において参考的に開示する第２の発明（以下、参考発明２という。）に係る遊技機は、参考発明１の遊技機において、
前記零出防止体は前記受皿本体の前面部に付設されることを特徴とする。
【００４３】
請求項２の発明及び参考発明２では、受皿本体の前面部（換言すると、貯留用堤部の前面部）に零出防止体を付設することを意図している。そして、この請求項２の発明及び参考発明２の遊技機を「貯留用堤部」なる語句を用いること無く以下のように表現することもできる。
【００４４】
つまり、参考発明２の遊技機を、
「左右一方の端部が軸支された扉本体と該扉本体から前方に突出する状態に配置された受皿本体とを具備し、遊技媒体の貯留室が上方に取出口を開口させた状態に形成されると共に開放操作が施されて閉鎖状態から開放状態に変化可能な受皿扉ユニットを、扉型部材として含む遊技機であって、
前記扉本体の前面部に零出防止体が付設され、該零出防止体の上方への変位と前記受皿本体の下方への変位とのうちの少なくとも一方が可能とされると共に、
前記零出防止体が前記受皿本体の上方への突出を開始させ、若しくは、前記零出防止体が前記受皿本体の上方への突出量を増量させるように前記零出防止体と前記受皿本体との間に上下方向に沿った相対変位を発生させる相対変位発生手段を具備し、
前記相対変位を発生させる動作を停止している相対変位発生手段は、前記受皿扉ユニットに施される開放操作に伴って前記相対変位を発生させる動作を開始させ、前記相対変位を発生させる動作を実行中の相対変位発生手段は、当該遊技機を構成する扉型部材の閉鎖状態が一定時間継続されることに伴って前記相対変位を発生させる動作を停止させることを特徴とする遊技機」と表現することもできる。
【００４５】
請求項２の発明によると、請求項１の発明の遊技機をより安価に製造することができ、参考発明２によると、参考発明１の遊技機をより安価に製造することができる。蓋し、請求項２の発明や参考発明２によると、零出防止体を受皿本体の前面部に配設する構造である。このため、既存の遊技機を構成する受皿扉ユニットに対しても簡単な改良を施すことで請求項１の発明の遊技機や参考発明１の遊技機を得ることができるからである。尚、請求項２の発明及び参考発明２において、零出防止体と受皿本体の前面部との間に隙間を生じていてもよし、零出防止体と受皿本体との前面部とが摺動可能な状態に接触していてもよい。但し、隙間を生ずる態様ではこの隙間の幅が「遊技媒体１個分の寸法（直径の寸法）を下回る大きさとされることが望ましい。そして、この幅は遊技媒体の半分の寸法（半径の寸法）を下回る寸法とすることが更に望ましい。また、「遊技媒体」が「コイン」である場合には、この隙間をコインの厚みを下回る寸法とすることが更に一層、望ましい。
【００４６】
請求項２の発明及び参考発明２では零出防止体の配設範囲を種々選択できるが、「受皿本体の前面部のうちで貯留室と前後に位置合わせされる部位の全域」若しくは「この部位のうちの５０％以上の範囲」等を選択できる。また、「零出防止体」の付設範囲を「受皿本体の前面部のうちで貯留室と前後に位置合わせされる部位」以外の部位に設けることもできる。例えば、受皿本体の前面部のうちで、「貯留室と前後に位置合わせされる部位」を含みつつそれよりもより広範囲な部位（例えば、受皿本体の前面部の幅方向に沿った全域）に付設してもよい。また、受皿本体が周回方向に沿った面（面部）として背面部及び前面部以外の他面部を備える場合には、「受皿本体が前面部」から「前面部と連続する他面部」に至る範囲に付設することもできる。例えば、受皿本体が「開口部を後方に向けた略コ字形状」、「略矩形状」、「開口部を後方に向けた略Ｕ字形状」、「開口部を後方に向けた略半円形状（真円の半円、長円の半円、楕円の半円等）」等の平面形状を有し、前面部の左右に両側面部を備える場合、前面部から左右の側面部に至る範囲に付設することもできる。
【００４７】
尚、請求項１の発明及び参考発明１においては貯留室の内壁面のうちで貯留用堤部によって構成される面部分に零出防止体が付設されてもよい。この場合、この面部分と零出防止体との間に隙間を生じていてもよいし、両者が摺動可能な状態に接触してもよい。また、この態様では零出防止体を貯留室に嵌合可能若しくは遊入可能な筒状体で構成することもできる。更に、請求項１の発明及び参考発明１においては「貯留用堤部の肉厚（水平方向に沿った肉厚）」が十分に確保できる場合（つまり、前述の「空き領域部」が存在する場合）、貯留用堤部のうちで貯留室と受皿本体の前面との間に位置する部位に零出防止体を付設してもよい。より具体的には、例えば、貯留用堤部のうちで貯留室と受皿本体の前面との間に位置する部位に零出防止体が埋設されてもよい。
【００４８】
本明細書において参考的に開示する第３の発明（以下、参考発明３という。）に係る遊技機は、参考発明１又は参考発明２の遊技機において、
前記貯留室に貯留された遊技媒体の量が所定量以下の場合、前記相対変位発生によって前記相対変位を発生させる動作が実行されることを禁止するための禁止手段を備えることを特徴とする。
【００４９】
参考発明３によると、受皿扉ユニット内に遊技媒体が所定量を超えて存在するときだけに相対変位発生手段が「相対変位を発生させる動作」を実行する。つまり、受皿扉ユニット内に貯留されている遊技媒体の量が少なく、受皿扉ユニットの開閉操作時に遊技媒体が零れ出る可能性が低い場合に「相対変位を発生させる動作」の実行を禁止する。よって、相対変位発生手段が無駄な動きを行わないため、遊技機の負荷防止を図ることができる。
【００５０】
ここで、参考発明３の「所定量」を種々選択でき、例えば、「貯留室の最大貯留（許容貯留量）」を基準に選択することができる。例えば、「貯留室の最大貯留（許容貯留量）」の「５０％〜９０％」のうちから選択される何れかの割合とすることができる。
【００５１】
また、参考発明３の遊技機においては、貯留室に貯留された遊技媒体の量（重量若しくは容積量）を計測するための測定手段と貯留室に貯留された遊技媒体の量が所定量以下である否かを判断する判断手段とを備え、禁止手段は、該判断手段が貯留室に貯留された遊技媒体の量が所定量以下と判断した場合、相対変位発生手段の作動を禁止することとしてもよい。
【００５２】
本明細書において参考的に開示する第４の発明（以下、参考発明４という。）に係る遊技機は、参考発明１〜参考発明３のうちの何れかの発明に係る遊技機において、
前記零出防止体の上方への変位及び前記受皿本体の下方への変位の双方が可能とされると共に、
前記相対変位発生手段は前記零出防止体の上方への変位と、前記受皿本体の下方への変位とを生じさせ、前記相対変位を生じさせることを特徴とする。
【００５３】
参考発明４の遊技機によると、「遊技球の零出抑制」をより確実に実行することができる。仮に、「受皿扉ユニットが閉鎖状態を維持されると共に相対変位発生手段が相対変位を発生させる動作を停止しているとき」に、手動によって零出防止体を変位させたり（持ち上げたり）、受皿本体を変位させたり（押し下げたり）、若しくは双方を行うことが可能であると、「遊技球の零出抑制」の効果が得られなかったり、「遊技球の零出抑制」の効果が十分に得られない場合がある。
【００５４】
蓋し、受皿扉ユニットが閉鎖状態にあるとき、既に貯留用堤部の上方に零出防止体が突出していると（若しくは、その突出量を増加させていると）、この突出を開始（若しくは突出量を増加）させた零出防止体によって受皿扉ユニットに許容量を超える遊技媒体が貯留される可能性がある。つまり、遊技者が零出防止体の変位等で貯留容量を拡大させた受皿扉ユニットに許容量を遙かに超える遊技媒体を貯留してしまう可能性がある。そして、この場合、受皿扉ユニットに開閉操作がその後施されても、零出防止体等の変位が既に完了しているため、受皿扉ユニットの貯留容量をそれ以上拡大させることがないからである。
【００５５】
一方、参考発明４では「相対変位発生手段が相対変位を発生させる動作を停止した状態」にある場合、零出防止体や受皿本体を変位不能な状態に拘束するため、受皿扉ユニットに許容量を遙かに超える遊技媒体を貯留されることを回避することができる。従って、参考発明４の遊技機によると、「遊技球の零出抑制」をより確実に実行することができる。
【００５６】
ここで、参考発明４において「〜変位不能な状態に拘束するための手段（以下、「拘束手段」という。）としては以下のものを例示できる。
【００５７】
例えば、「前記相対変位発生手段が前記相対変位を発生させるための駆動力を伝達するための駆動力伝達部材を具備し、該駆動伝達部材が所定の伝達動作を行うことを条件に前記相対変位を発生させる場合において、
前記相対変位発生手段が作動を停止した状態にあるときに前記動力伝達部材は前記伝達動作を実行不能な状態に拘束する拘束手段」を例示することができる。
【００５８】
つまり、受皿扉ユニットが閉鎖状態を維持され、相対変位発生手段が作動を停止しているときに、駆動伝達部材（リンク、カム、伝達軸等）をロックして「相対変位の発生」を不可能とする拘束手段を例示することができる。
【００５９】
また、「前記相対変位発生手段が作動を停止した状態にあるときに、前記零出防止体及び前記受皿本体のうちの変位可能な部材（以下、「変位部材」という。）に向かって進出して、該変位部材に係合して該変位部材を変位不能な状態に拘束する拘束手段」を例示することもできる。
【００６０】
本明細書において参考的に開示する第５の発明（以下、参考発明５という。）に係る遊技機は、参考発明１〜参考発明４のうちの何れかの発明に係る遊技機において、
前記零出防止体の上方への変位及び前記受皿本体の下方への変位の双方が可能とされると共に、
前記相対変位発生手段は前記零出防止体の上方への変位と、前記受皿本体の下方への変位とを生じさせ、前記相対変位を生じさせることを特徴とする。
【００６１】
参考発明５によると、零出防止体及び受皿本体の双方が相互に離間する方向に変位するため、「小さなスペース」を用いつつも零出防止体の受皿本体の上方への突出量を拡大できる。つまり、零出防止体、受皿本体個々に与える変位が少なくても、零出防止体の受皿本体の上方への突出量を拡大することができる。従って、参考発明５によると、遊技機前面側の限られたスペースを利用しつつ「遊技媒体の零出」を的確に抑制することができる。
【発明の効果】
【００６９】
以上記述したように本各発明によれば、「受皿扉ユニットの開閉操作時における遊技媒体の零出」を円滑に抑制することができる。
【発明を実施するための最良の形態】
【００７０】
以下、発明を実施するための最良の形態を示す実施例について図面に基づいて説明する。以下に示す各実施例では、各参考発明を、遊技媒体として遊技メダルを用いる「スロットマシン」と称する遊技機１に適用した具体例と、各請求項に係る発明を、遊技媒体として遊技球を用いる「パチンコ機」と称する遊技機に適用した具体例とについて説明する。
【００７１】
Ａ．実施例１
（１）構造
ａ．機械的な構造
先ず、この遊技機１の前面側の全体構造（機械的な構造）について、図１〜図３を参照して説明する。この遊技機１は遊技機本体１Ｈと、この遊技機本体１Ｈの前面側に開閉可能な状態に装着された受皿扉ユニット３Ｂとを備えている。尚、この遊技機１（回胴式遊技機）においては、その外郭体を構成する部分が筐体２と称されている。
【００７２】
この筐体２は、図２及び図３に示すように、前面側（遊技者側）に開口する開口部を有する略容器状の外郭本体部３Ａと、前述の受皿扉ユニット３Ｂとを備えている。そして、外郭本体部３Ａは遊技機本体１Ｈの外郭部を構成する部材である。また、受皿扉ユニット３Ｂは外郭本体部３Ａの前面側左端縁にヒンジを介して装着され、外郭本体部３Ａの開口部を開閉可能とされている。
【００７３】
図２及び３に示すように、外郭本体部３Ａ内の上下方向略中間部には図柄表示装置１０が配設されている。また、外郭本体部３Ａ内において図柄表示装置１０の上方に主制御基板ケース１００Ｋとモータ駆動基板ケース５０Ｋとが配設されている。尚、主制御基板ケース１００Ｋには、遊技全体の基本制御を司る主制御基板（後述する。）１００Ａが格納され、モータ駆動基板ケース５０Ｋには図柄表示装置（後述する。）１０を駆動するためのモータ駆動基板（つまり、後述するモータ駆動回路部５０を構成する基板）が格納されている。また、図柄表示装置１０の下方にはリアスピーカ８Ｒが配設されている。更に、リアスピーカ８Ｒの下方には、投入された遊技メダルが集められるホッパ６５や、遊技メダルを払い出すメダル払出装置６５Ｈ等が配設されている。
【００７４】
図柄表示装置１０は筐体２の内部であって表示窓４（後述する。）の後方の位置に配設されている。この図柄表示装置１０は、フレーム１０Ｆと３つの表示リール（回胴）１１ａ〜１１ｃとを備えている。このうち、フレーム１０Ｆは前面部を開口部とする略容器形状を備えており、３つの表示リール１１ａ〜１１ｃを横方向に並べた状態で保持している。つまり、３つの表示リール１１ａ〜１１ｃは何れもその回転軸を水平に向けつつ、フレーム１０Ｆに回転可能な状態に保持されている。また、何れの表示リール１１ａ〜１１ｃも、その後半部をフレーム１０Ｆ内に収納し、その前半部をフレーム１０Ｆの開口部から前方に露呈させている。
【００７５】
表示リール（回胴）１１ａ〜１１ｃは、リールドラムとその外周面に貼着されたリール帯とを備えている。また、リールドラムは略円筒状の外形を備える枠状に構成され、フレーム１０Ｆ内において横方向に配設された支持軸によって回転可能な状態に支持されている。また、リール帯は、合成樹脂製で帯状の基材の表面に対し、透光性を備えるインクを用いて図柄を印刷（シルクスクリーン印刷等）した構成とされている。つまり、このリール帯の表面には、所定のコマ数（例えば、２１コマ）の図柄が所定間隔（等ピッチ）で連続されている。リール帯が、かかる構成を備えるため、各表示リール１１ａ〜１１ｃの外周面には複数の図柄が連続配置され、図柄列を構成している。
【００７６】
尚、図４（ｂ）に示すように、各表示リール１１ａ〜１１ｃの外周面には、（１）赤色の７を用いた図柄（以下、単に「赤７図柄」という。）と、（２）青色の７を用いた図柄（以下、単に「青７図柄」という。）と、（３）ＢＡＲなる文字を用いた図柄（以下、単に「ＢＡＲ図柄」という。）と、（４）ｒｅｐｌｙなる文字を用いた図柄（以下、単に「ｒｅｐｌｙ図柄」という。）と、（５）スイカの図形を用いた図柄（以下、単に「スイカ図柄」という。）と、（６）ベルの図形を用いた図柄（以下、単に「ベル図柄」という。）と、（７）チェリーの図形を用いた図柄（以下、単に「チェリー図柄」という。）と、が所定の間隔で連続配置され、図柄列を構成している。尚、各図において、「赤７図柄」を「白抜きの表示」で示し、「青７図柄」を「ハッチング」で示すことで、両者を区別している。
【００７７】
これらの表示リール１１ａ〜１１ｃは、各々に対応して設けられた駆動源（ステッピングモータ１２ａ、１２ｂ、１２ｃであって、図５を参照）を用いつつ、各々独立した状態で回転と停止とを実行可能とされている。
【００７８】
図２に示すように、遊技機本体１Ｈ（外郭本体部３Ａ）の右端側には上下に長尺な施錠装置１０Ｋ（図３では図示を省略）が装着されている。また、図３及び図５に示すように、遊技機本体１Ｈの右端側上部には扉センサ１０Ｓが装着されている。更に、図２及び図３に示すように、遊技機本体１Ｈ（外郭本体部３Ａ）の右端側下部には動作選択用装置７８が配設されている。尚、施錠装置１０Ｋを解錠操作するための鍵が挿入される鍵孔１０Ｗは受皿扉ユニット３Ｂの前面部右端側に露呈している（図１を参照）。
【００７９】
動作選択用装置７８は後述する上昇装置８８の作動状態を選択するための装置であり、ソレノイドを用いて構成されている。この動作選択用装置７８は、図１１に示すように、外郭本体部３Ａの底部右端側に台座部７８ａを介して支持されており、軸受（図示を省略）によって前後にスライド可能に支持されたプランジャ７８ｂと、プランジャ７８ｂの外周位置に配置されたソレノイドコイル７８ｘと、復帰手段（復帰バネであって、図示を省略）とを備える。この動作選択用装置７８を構成するプランジャ７８ｂはその突端部７８ｃを正面前方に向け、軸心を前後に向けた状態とされている。
【００８０】
この動作選択用装置７８ではソレノイドコイル７８ｘへの通電を行わないとき（動作選択用装置７８としてのソレノイドを消磁したとき）には、図１１の実線（Ｌ１）に示すように、プランジャ７８ｂは復帰手段（復帰バネ）の付勢力により、前方（プランジャ７８ｂの突出量を増やす方向）に駆動する。このとき、プランジャ７８ｂの前半部（突端側の部分）は外郭本体部３Ａの右端側下部に形成された挿入孔３Ｓに挿入される。そして、プランジャ７８ｂの突端部７８ｃは外郭本体部３Ａの開口面３Ｔと略面一な状態となる。尚、以下の説明においてソレノイドコイル７８ｘへの通電を行わないときにおけるプランジャ７８ｂの位置を「前進位置」という。また、この挿入孔３Ｓはプランジャ７８ｂを遊びをもった状態で挿入可能なサイズを有している。
【００８１】
一方、ソレノイドコイル７８ｘへの通電を行うと（動作選択用装置７８としてのソレノイドを励磁すると）、ソレノイドコイル７８ｘからプランジャ７８ｂへ、電流に比例した大きさの牽引力を生ずる。このため、図１１の破線（Ｌ２）に示すように、プランジャ７８ｂは復帰手段（復帰バネ）の付勢力に対抗しつつ、後方（プランジャ７８ｂの突出量を減らす方向）に駆動する。このとき、プランジャ７８ｂは挿入孔３Ｓの後方に抜け出た状態となる。尚、以下の説明においてソレノイドコイル７８ｘへの通電を行わないときにおけるプランジャ７８ｂの位置を「後退位置」という。
【００８２】
扉センサ１０Ｓは「受皿扉ユニット３Ｂに開閉動作が施されるか否かを検出するための検出手段」である。そして、本実施例では、この扉センサ１０Ｓとして「ＯＮ・ＯＦＦ信号」を出力可能な「リミットスイッチ」を用いている。つまり、図５（ａ）に示すように、この扉センサ１０Ｓは、支持体１０Ｔとプランジャ１０Ｐとプランジャ１０Ｐを前方に付勢するための付勢手段（図示を省略）とを備えている。このうち、支持体１０Ｔは、蓋付きの略円筒形状に構成され、開口部を後方に向け、蓋部１０Ｑを前方に向けた状態で遊技機本体１Ｈに取り付けられている。また、蓋部１０Ｑを中心部には貫通孔が形成され、プランジャ１０Ｐはこの貫通孔に軸心を前後に向けた状態で挿通されて前後に進退可能とされている。また、このプランジャ１０Ｐは、常に、付勢手段の付勢力によって前方に付勢された状態とされ、遊技機本体１Ｈの基準面１ＮＨから所定量（例えば、１０ｍｍ）だけ、突出した状態とされる。
【００８３】
この扉センサ１０Ｓにおいては、図５（ｂ）に示すように、プランジャ１０Ｐが付勢手段の付勢力に対抗しつつ、「後方への移動限界位置（以下、「後方限界位置」という。）」に移動して遊技機本体１Ｈの基準面ＮＨの前面部から突出量が少なくなると（例えば、突出量が、５ｍｍ）になると、プランジャ１０Ｐの後端部が「所定の接点（図示を省略）」に当接して「ＯＦＦ信号（つまり、扉閉信号）」を出力する。一方、このプランジャ１０Ｐが前進して「後方限界位置」を外れると、プランジャ１０Ｐの後端部が前述の「所定の接点」から離れて「ＯＮ信号（つまり、扉開信号）」を出力する。
【００８４】
つまり、受皿扉ユニット３Ｂを遊技機本体１Ｈに対して閉鎖状態とするための動作を施すと、「受皿扉ユニット３Ｂの押圧面３ＢＨ」がプランジャ１０Ｐを後方に押し込む。そして、受皿扉ユニット３Ｂが遊技機本体１Ｈに対して閉鎖状態（具体的には、全閉状態）とされると、「押圧面３ＢＨで押圧されたプランジャ１０Ｐ」は「後方限界位置」に移動するため、扉センサ１０Ｓから「ＯＦＦ信号」が出力される。
【００８５】
一方、この「閉鎖状態（全閉状態）にある受皿扉ユニット３Ｂ」の施錠装置１０Ｋの鍵孔１０Ｗに鍵を差し込んでこの鍵を回転させ、「受皿扉ユニット３Ｂの遊技機本体１Ｈに対する施錠」を解除すると、この解錠操作に連動して受皿扉ユニット３Ｂが僅かな開放動作を行う。つまり、受皿扉ユニット３Ｂの右端部を遊技機本体１Ｈから離間するような開放動作を解錠操作に連動して行う（パチンコホールの店員等が受皿扉ユニット３Ｂを手に持たなくても僅かな開放動作を行う。）。このため、図５（ａ）に示すように、「押圧面３ＢＨ」と支持体１０Ｔの蓋部１０Ｒとの間の距離が拡大する。これにより、プランジャ１０Ｐが「後方限界位置」を外れて前方に移動するため、扉センサ１０Ｓから「ＯＮ信号」が出力される。そして、受皿扉ユニット３Ｂの開放量を増加させたり、受皿扉ユニット３Ｂを全開状態としても扉センサ１０Ｓから「ＯＮ信号」が出力される。つまり、受皿扉ユニット３Ｂが遊技機本体１Ｈに対して閉鎖状態（全閉状態）になる直前まで扉センサ１０Ｓから「ＯＮ信号」が出力される。
【００８６】
本実施例では受皿扉ユニット３Ｂの開放動作の開始したこと（つまり、閉鎖状態から開放状態へ移行したこと）が、「扉センサ１０Ｓから出力される信号」が「ＯＦＦ信号」から「ＯＮ信号」に変更されることで検出される。また、受皿扉ユニット３Ｂが開放状態から閉鎖状態へ移行したことが、「扉センサ１０Ｓから出力される信号」が「ＯＮ信号」から「ＯＦＦ信号」に変更されることで検出される。そして、「ＯＮ信号」の出力や「ＯＦＦ信号」はホールピュータＨＰＣや、後述するサブ制御部２００に送信される。このため、パチンコホールの側で受皿扉ユニット３Ｂの開放動作や閉鎖動作の有無を把握できると共に、サブ制御部２００においても受皿扉ユニット３Ｂの開放動作や閉鎖動作の有無を把握できる。
【００８７】
図１に示すように、受皿扉ユニット３Ｂは遊技機１の前面部を構成するものであり、扉本体３１Ｂと、扉本体３１Ｂから前方に突出する状態に配置された受皿本体８０とを具備している。このうち、扉本体３１Ｂは、上部パネル部２Ａと、表示パネル部２Ｂと、操作パネル部２Ｃと、下方パネル部２Ｄと、受皿パネル部２Ｅとを備えている。このうち、上部パネル部２Ａは、本遊技機１の正面に着座する遊技者の略「視線の位置」よりも上方に配置されると共に、その中央に液晶表示装置６を配設している。この液晶表示装置６では、図柄変動遊技に伴う各種の演出を実行すると共に、遊技機１に関する情報（入賞図柄の態様や、個々の入賞態様毎の遊技メダルの付与枚数の表示等）を行う。また、上部パネル部２Ａにおいて、液晶表示装置６の周囲には演出効果を高めるためのランプ装置７とスピーカ８とが配置されている。
【００８８】
表示パネル部２Ｂは、上部パネル部２Ａの下方であって、本遊技機１の正面に着座する遊技者の略「視線の位置」に配置される。この表示パネル部２Ｂの中央には、横長の略矩形状の表示窓４が設けられている。この表示窓４には透明な板が装着されているため、筐体２の前方に位置する遊技者は、この表示窓４を通じて筐体２の内部（但し、表示窓４を通じて目視可能な範囲）を視認可能となっている。
【００８９】
扉本体３１Ｂの裏面部において表示窓４の下方の位置には、メダルセレクタ３１Ｖやコインシュータ３１Ｗ等が設けられている。このうち、メダルセレクタ３１Ｖはメダル投入ロ（後述する。）３１から投入された遊技メダルの通路を構成するものであり、投入された遊技メダルを主に寸法に基づいて選別し、規格寸法に適合した遊技メダルだけを受け入れる機能を有している。また、コインシュータ３１Ｗは遊技メダルを遊技メダル払出口（後述する。）４１に導くためのための通路を構成する。
【００９０】
筐体２内部の図柄表示装置１０は前述のように表示窓４の後方の位置に配設されている。そして、筐体２内の前方に位置する遊技者からは、表示窓４を通じて各表示リール１１ａ〜１１ｃの外周方向に沿った一部のみが視認可能とされている。つまり、図４（ａ）に示すように、各表示リール１１ａ〜１１ｃにおいては、「３コマの図柄に相当する円弧長を備える部分Ａ１〜Ａ３」が表示窓４を通じて前方に露呈している。
【００９１】
各表示リール１１ａ〜１１ｃは、遊技者から見てより上方に位置するコマがより下方に移動するように回転することで変動表示を実行する。つまり、各表示リール１１ａ〜１１ｃは、筐体２内で回転することにより、遊技者が表示窓４を通じて目視可能な部位（コマ）が順次変化する。このため、遊技者が表示窓４を通じて目視する図柄が循環状に変更され、これにより、図柄の変動表示が行われる。
【００９２】
図１に示すように、表示パネル部２Ｂの後方であって表示窓４の周囲に位置する部位には、多数のランプ２１ａ、２１ｂ、２１ｖ、２１ｗ、２１ｘ、２１ｙ等が配設されている。つまり、表示窓４の左側方の位置には、第１メダルラインランプ２１ａと、第２メダルラインランプ２１ｂと、第３メダルラインランプ２１ｃと、遊技開始表示ランプ２２とが設けられている。このうち、第１メダルラインランプ２１ａは、（１）遊技者によって１枚の遊技メダル（遊技媒体の具体例を構成）が賭けられたこと（以下、「ＢＥＴされたこと」といい、詳細は後述する。）、（２）役の成立確定を示すための表示（「チェリー」を除き、図柄を組み合わせた表示である。）が「第１の入賞ラインＮ１」に沿って確定表示されたことを示すためのランプである。
【００９３】
尚、本遊技機１においては、図４（ａ）に示すように５通りの入賞ラインＮ１〜Ｎ５が設定されている。つまり、第１の入賞ラインＮ１は表示窓４の上下方向に沿った中間部を水平に横切る状態に設定される入賞ラインである。また、第２の入賞ラインＮ２は、第１の入賞ラインＮ１よりも上方に位置しつつ表示窓４のを水平に横切る状態に設定される入賞ラインであり、第３の入賞ラインＮ３は、第１の入賞ラインＮ１よりも下方に位置しつつ表示窓４を水平に横切る状態に設定される入賞ラインである。また、第４の入賞ラインＮ４は、右上がり傾斜状に表示窓４を通過する状態に設定される入賞ラインであり、第５の入賞ラインＮ５は、左上がり傾斜状に表示窓４を通過する状態に設定される入賞ラインである。
【００９４】
第２メダルラインランプ２１ｂは、（１）遊技者によって２枚の遊技メダルがＢＥＴされたことと、（２）役の成立確定を示すための表示が「第２の入賞ラインＮ２」に沿って確定表示されたこと、若しくは、「第３の入賞ラインＮ３」に沿って確定表示されたことを示すためのランプである。また、第３メダルラインランプ２１ｃは、（１）遊技者によって３枚の遊技メダルがＢＥＴされたことと、（２）役の成立確定を示すための表示が「第４の入賞ラインＮ４」に沿って確定表示されたこと、若しくは、「第５の入賞ラインＮ５」に沿って確定表示されたことを示すためのランプである。
【００９５】
遊技開始表示ランプ２２は、表示リール１１ａ〜１１ｃの回転が開始可能であるときに点灯される。
【００９６】
表示パネル部２Ｂにおいて表示窓４の右側方の位置には、打止め表示ランプ２３と、再遊技ランプ２４と、ビッグボーナス告知ランプ２５ａ、２５ｂ、２５ｃと、遊技メダル投入ランプ２６とが設けられている。このうち、打止め表示ランプ２３は、遊技機１が打ち止め状態となったときに点灯される。また、再遊技ランプ２４は、再遊技役の入賞成立に基づく遊技（遊技メダルを使用することなく、実行可能な遊技）が行われることを示すためのランプである。更に、ビッグボーナス告知ランプ２５ａ、２５ｂ、２５ｃは、遊技機１が特別遊技状態に移行可能な状態にあること（本実施例では、ビッグボーナスゲームを実行できる遊技状態にあること）を示すためのランプである。また、遊技メダル投入ランプ２５は、遊技メダルを受け入れ可能であることを示すランプである。
【００９７】
表示パネル部２Ｂにおいて表示窓４の下側には、貯留枚数表示器２８ａと、役物当選回数表示器２８ｂと、払出枚数表示器２８ｃとが設けられている。このうち、貯留枚数表示器２８ａには、遊技機１に電子データとして貯留されている遊技メダルの枚数（いわゆるクレジット数）が表示され、役物当選回数表示器２８ｂには、レギュラーボーナス役の入賞可能回数等が表示される。また、払出枚数表示器２８ｃには、遊技機１から払い出される遊技メダルの枚数が表示される。
【００９８】
操作パネル部２Ｃは、表示パネル部２Ｂの下方において遊技者方向に突出する状態に形成されている。この操作パネル部２Ｃの上面部には、メダル投入ロ３１と、１ベットボタン３２ａと、３ベットボタン３２ｂと、が設けられている。また、操作パネル部２Ｃの前面部には、精算ボタン３３と、スタートレバー３５と、停止ボタン３６ａ、３６ｂ、３６ｃと、返却ボタン３８とが設けられている。
【００９９】
このうち、メダル投入ロ３１は、遊技メダルを遊技機１に投入するための投入口である。また、１ベットボタン３２ａは遊技機１に貯留されている遊技メダルのうちで、１枚をベットするためのボタンであり、３ベットボタン３２ｂは遊技機１に貯留されている遊技メダルのうちで、３枚をベットするためのボタンである。
【０１００】
精算ボタン３３は、例えば、遊技者が、遊技機１に貯留されている遊技メダルを外部に払い出したいときに使用されるボタンである。尚、遊技メダルは、図柄表示遊技において入賞の成立が確定した場合や、規定個数を超える個数の遊技メダルが遊技メダル投入口３１より投入された場合等には、上限数を５０個として遊技機１の内部に貯留される。また、スタートレバー３５は、表示リール１１ａ〜１１ｃの回転を開始させるために用いられる。
【０１０１】
停止ボタン３６ａ、３６ｂ、３６ｃは、個々の表示リール１１ａ〜１１ｃ毎に対応して設けられている。そして、遊技者が、個々の表示リール１１ａ〜１１ｃを停止させることを意図した場合に、この遊技者によって操作される。尚、左端の「表示リール（第１表示リール）１１ａ」に停止操作を施す際には左端の停止ボタン３６ａが使用され、中央の「表示リール（第２表示リール）１１ｂ」に停止操作を施す際には中央の停止ボタン３６ｂ」が使用されると共に、右端の「表示リール（第３表示リール）１１ｃ」に停止操作を施す際には右端の停止ボタン３６ｃが使用される。
【０１０２】
返却ボタン３８は、遊技機１に投入された遊技メダルが、この遊技機１内部で詰まった場合に、この詰まりを解消する際に押されるボタンである。
【０１０３】
下方パネル部２Ｄは、操作パネル部２Ｃの下方に配置され、その前面部に「装飾用のセル画（図示を省略）」等を配置している。
【０１０４】
図６に示すように、受皿パネル部２Ｅは下方パネル部２Ｄの下方に（つまり、扉本体３１Ｂの最下方位置に）に配設されている。そして、図７に示すように、受皿パネル部２Ｅの前面部２ＥＦからは２個の支持部７１、７２が前方に向かって突出している。つまり、受皿パネル部２Ｅの前面部２ＥＦの左端側からは平面形状が「略コの字状」の支持部（以下、「左側支持部」という。）７１が突出している。また、受皿パネル部２Ｅの前面部２ＥＦの右端側からは「略板状」の支持部（以下、「右側支持部」という。）７２が突出している。
【０１０５】
図７に示すように、左側支持部７１は背板部７１ａと、背板部７１ａの左端部から前方に向かって略板状に突出する第１の側板部７１ｂと、背板部７１ａの右端部から前方に向かって略板状に突出する第２の側板部７１ｃとを備えている。そして、第１の側板部７１ｂ、第２の側板部７１ｃ及び背板部７１ａで囲まれた略直方体形状の空間部には灰皿７５が装着されている。
【０１０６】
第２の側板部７１ｃと右側支持部７２とは所定の間隔をおいて左右に対向する状態に配置されている。そして、第２の側板部７１ｃと右側支持部７２は互いに略鏡面対称な外形を呈しつつ、受皿本体８０等を支持するための支持体を構成している。
【０１０７】
図８（ａ）に示すように、第２の側板部７１ｃは板厚方向を左右方向に向けた略板形状に構成され、右側面の端部側に突起部７１ｅを備えている。この突起部７１ｅは右側面の鉛直上下方向に沿って長尺に形成されると共にスライド溝７１ｆを備えている。また、図９（ａ）及び（ｂ）に示すように、このスライド溝７１ｆは突起部７１ｅの上端部と右側面部とで略矩形状に開口しつつ上下に縦長されている。このスライド溝７１ｆの上下幅は第２の側板部７１ｃの上下幅の略半分とされ、突起部７１ｅにおいてスライド溝７１ｆの下端部を構成する部位がスライド溝７１ｆの上部開口を指向する面７１ｇとされている。尚、以下の説明においてこの面７１ｇを規制面７１ｇと称する。
【０１０８】
図８（ｂ）に示すように、右側支持部７２では、第２の側板部７１ｃと左右に対向する位置に突起部７１ｅと鏡面対象な突起部７２ｅを有している。つまり、右側支持部７２は板厚方向を左右方向に向けた略板形状に構成され、左側面の端部側に突起部７２ｅを備えている。この突起部７２ｅは左側面の鉛直上下方向に沿って長尺に形成されると共にスライド溝７２ｆを備えている。また、図９（ｃ）及び（ｄ）に示すように、このスライド溝７２ｆは突起部７２ｅの上端部と左側面部とで略矩形状に開口しつつ上下に縦長されている。このスライド溝７２ｆの上下幅は右側支持部７２の上下幅の略半分とされ、突起部７２ｅにおいてスライド溝７２ｆの下端部を構成する部位がスライド溝７２ｆの上部開口を指向する面７２ｇとされている。尚、以下の説明においてこの面７２ｇも規制面７２ｇと称する。
【０１０９】
尚、図８（ａ）及び（ｂ）に示すように、第２の側板部７１ｃの後端側下方部と右側支持部７２の後端側下方部とにおいて左右に対向する部位には軸受部材７１ｖ、７２ｖが埋設されている。
【０１１０】
図６に示すように、受皿パネル部２Ｅにおいて右側支持部７２及び第２の側板部７１ｃの中間に位置する部位には遊技メダル払出口４１が設けられている。この遊技メダル払出口４１は受皿パネル部２Ｅを前後に貫通すると共に、前述のコインシュータ３１Ｗを通じて払い出される遊技メダルを受皿パネル部２Ｅの前面部に到達させるものである。
【０１１１】
図７に示すように、この第２の側板部７１ｃと右側支持部７２との間には横長の略直方体形状の空間部が形成され、この空間部内に受皿本体８０と零出防止体８５とが支持されている。つまり、受皿本体８０は上面部に開口部８０ａ（図１２等に図示）を備えると共に背面部に開口部８０ｂ（図７等に図示）を備える皿状体を用いて構成されている。換言すると、この受皿本体８０は上部に開口部８０ａを備え、外形が略直方体形状の容器の背面部を切り欠いた構成を備えている。そして、第２の側板部７１ｃと右側支持部７２との間の空間部であって、突起部７１ｅ、７２ｅよりも後方に位置する部位に上方から装着され、第２の側板部７１ｃ及び右側支持部７２によって両端部を支持されている。
【０１１２】
このように支持された受皿本体８０の後端面は受皿パネル部２Ｅの前面部２ＥＦと当接し、受皿パネル部２Ｅと協働して上方で開口された容器形状を構成している。つまり、第２の側板部７１ｃ及び右側支持部７２によって両端部を支持された受皿本体８０と受皿パネル部２Ｅとによって略矩形の空間部８０ｄが形成されている。この空間部８０ｄは遊技メダル払出口４１と連通し、受皿本体８０の上面部の開口部８０ａによって上方に開放されている。
【０１１３】
図１２に示すように、この空間部８０ｄはコインシュータ３１Ｗを通じて払い出される遊技メダルを受け入れて貯留するための貯留室８０ｔを構成する。この貯留室８０ｔは「受皿本体８０の上部に向けられる開口部８０ａ」を取出口８０ｕとしており、貯留室８０ｔに貯留された遊技球はこの取出口８０ｕを通じて取り出し可能とされている。
【０１１４】
また、図７に示すように、受皿本体８０は平面形状が略矩形の底壁部８０ｆ（図１２も参照）と、底面壁８０ｆの前端縁から上方に突出する前面壁８０ｇと、底面壁８０ｆの左側縁から上方に突出する左側面壁８０ｈと、底面壁８０ｆの右側縁から上方に突出する右側面壁８０ｉとを備えているが、貯留室８０ｔの後方を除く３方を、前面壁８０ｇと左側面壁８０ｈと右側面壁８０ｉとで包囲している。つまり、前面壁８０ｇと左側面壁８０ｈと右側面壁８０ｉとによって「平面形状が略コの字形状の壁体」を構成し、この壁体によって貯留用堤部の８０Ｆの具体例を構成している。即ち、貯留室８０ｔの正面前方から左右の側方に至る部位（つまり、後方を除く部位）が、この貯留用堤部の８０Ｆで囲まれた状態とされている。尚、貯留用堤部の８０Ｆの平面形状は、ここで例示する「開口部を後方に向けた略コ字形状」に限定されず、「開口部を後方に向けた略馬蹄形状」、「開口部を後方に向けた略Ｕ字形状」、「開口部を後方に向けた略半円形状（真円の半円、長円の半円、楕円の半円等、円の具体的な形状は特に問わない。）等、他の形状であってもよい。
【０１１５】
図７に示すように、零出防止体８５は略矩形の板状体を用いて構成され（つまり、零出防止板として構成され）、表裏面（肉厚方向）を前後に向けた状態で受皿本体８０の前面壁８０ｇの前方に上下動可能な付設されている。つまり、零出防止体８５はその表裏面を前後に向けた状態で、前面壁８０ｇと約１．０ｍｍの間隔（遊技コインの厚みの約６割の間隔）をあけた状態で前面壁８０ｇの前方に立設配置されている。また、図８（ａ）及び（ｂ）に示すように、この立設された零出防止体８５はその両側方端面の略上半部にスライド突起８５ａ、８５ｂを突出させている。つまり、図１０（ａ）〜（ｄ）に示すように、これらのスライド突起８５ａ、８５ｂは零出防止体８５の各側方端面の略上半部から縦長の略直方体に突出している。また、図６に示すように、零出防止体８５の下端側両端寄りに孔部８５ｍ、８５ｎが形成されている。これらの孔部８５ｍ、８５ｎは零出防止体８５の前後に貫通しつつ零出防止体８５の前面部及び後面部において略矩形状に開口している（図１１を参照）。
【０１１６】
この立設された零出防止体８５においては、左側のスライド突起８５ａが第２の側板部７１ｃのスライド溝７１ｆに嵌合され｛図８（ａ）を参照｝、零出防止体８５の右端面のスライド突起８５ｂが右側支持部７２のスライド溝７２ｆに嵌合されている｛図８（ｂ）を参照｝。そして、これらの嵌合によって第２の側板部７１ｃ及び右側支持部７２によって支持された状態となっている。但し、嵌合されるスライド突起８５ａ、８５ｂと、スライド溝７１ｆ、７２ｆとの間にはクリアランスが確保されているため、この零出防止体８５は第２の側板部７１ｃ及び右側支持部７２を基準に上昇可能とされている。
【０１１７】
この零出防止体８５は、左側のスライド突起８５ａの下端面８５ｄ｛図１０（ａ）を参照｝を左側のスライド溝７１ｆの規制面７１ｇに当接させ、右側のスライド突起８５ｂの下端面８５ｅ｛図１０（ｃ）を参照｝を右側のスライド溝７２ｆの規制面７２ｇに当接させたところで、零出防止体８５の位置は、図１２等に示す基準位置（下方限界位置）となる。つまり、この基準位置は、本実施例の遊技機１が使用状態とされる際の位置（零出防止体８５の高さ位置）であり、零出防止体８５がこの基準位置となると、零出防止体８５の上端面８５ｇは受皿本体８０の上面部よりも下方に位置する状態となる。そして、この基準位置にある零出防止体８５を上方に押し上げると、図１３に示すように、この零出防止体８５は左右の各スライド突起８５ａ、８５ｂを対応するスライド溝７１ｆ、７２ｆ内で摺動させつつ上昇することができる。
【０１１８】
図１１に示すように、受皿パネル部２Ｅの右端側においてコインシュータ３１Ｗの下方に位置し、しかも、前述の挿入孔３Ｓと前後に位置合わせ可能な部位に軸受部（以下、「後軸受部」という。）３Ｊが設けられている。また、右側支持部７２の後端側の下部であって、前述の挿入孔３Ｓと前後に位置合わせ可能な部位にも軸受部（以下、「前軸受部」という。）３Ｖが設けられている。そして、前軸受部３Ｖと後軸受部３Ｊと挿入孔３Ｓの軸心は前後に向かって同心上に並ぶものとされている。そして、この前後に並ぶ前軸受部３Ｖ及び後軸受部３Ｊによって選択動作伝達部材８６が前後動可能な状態に支持されている。
【０１１９】
この選択動作伝達部材８６は、前述の動作選択用装置７８が行う「伝達動作（後述する。）を後述する上昇装置８８に伝達したり、この伝達の遮断を行うための装置であり、図１１に示すように、略円柱型の軸形状に構成される本体部８６ａと、本体部８６ａの一端側外周面から突出する前鍔部８６ｂと本体部８６ａの他端側外周面から突出する後鍔部８６ｃとを備えている。また、この本体部８６ａは、前鍔部８６ｂを前軸受部３Ｖよりも前方に配置し、後鍔部８６ｃを前軸受部３Ｖ及び後軸受部３Ｊの間に配置しつつ前軸受部３Ｖ及び後軸受部３Ｊによって支持され、軸心方向（本体部８６ａの軸心方向）に沿って前後動可能されている。
【０１２０】
前軸受部３Ｖと後鍔部８６ｃとの間にコイルスプリング８６ｄが圧縮状態で介在されている。そして、選択動作伝達部材８６の後端部８６ｇの後方から障害物を排除すると、この選択動作伝達部材８６は軸心方向に沿った後退が許容される。このため、選択動作伝達部材８６はコイルスプリング８６ｄの付勢力（コイルスプリング８６ｄが軸心方向に沿った全長を長くしようとする付勢力）によって後退する。
【０１２１】
この後退は前鍔部８６ｂは前軸受部３Ｖに当接するまで行われるが、この後退によって選択動作伝達部材８６の後端部８６ｇが扉本体３１Ｂの後方へ突出する（図１２を参照）。尚、受皿扉ユニット３Ｂが外郭本体部３Ａに対して閉鎖され、しかも、動作選択用装置７８のプランジャ７８ｂの位置が後退位置である場合、この選択動作伝達部材８６の後端部８６ｇは挿入孔３Ｓに向かって進入可能である（図１４を参照）。
【０１２２】
一方、図１１に示すように、プランジャ７８ｂの位置を前進位置に移行させると、プランジャ７８ｂの突端部７８ｃが選択動作伝達部材８６の後端部８６ｇを前方に押圧するため、選択動作伝達部材８６はコイルスプリング８６ｄの付勢力に対抗しつつ前進する。この前進はプランジャ７８ｂの突端部７８ｃが外郭本体部３Ａの開口面３Ｔと略面一な状態となるまで行われる。
【０１２３】
図１１に示すように、受皿パネル部２Ｅの底面部からは支持体８２が突出している。この支持体８２は受皿パネル部２Ｅの底面部から垂下する垂下部８２ａと、垂下部８２ａの下端から正面前方に突出する張出部８２ｂとを備えている。そして、支持体８２と第２の側板部７１ｃと右側支持部７２とを用いて上昇装置８８が支持されている。
【０１２４】
上昇装置８８は相対変位発生手段の具体例を構成する装置であり、図１１に示すように、支持軸８８ａ（図７及び図８も参照）と、左側伝達部材８８ｂ｛図８（ａ）も参照｝と、右側伝達部材８８ｃ｛図８（ｂ）も参照｝と、２個のバネ８８ｗとを備えている。このうち、支持軸８８ａは、受皿本体８０下部の後方側において軸心を水平な方向に向けつつ回転可能な状態で配置されている。つまり、支持軸８８ａの左端部は第２の側板部７１ｃの後端側下方部に埋設された軸受部材７１ｖによって回転可能な状態に支持され｛図８（ａ）を参照｝、支持軸８８ａの右端部は右側支持部７２の後端側下方部に埋設された軸受部材７２ｖによって回転可能な状態に支持されている｛図８（ｂ）を参照｝。また、支持軸８８ａにおいて左側に位置する孔部８５ｍの後方に位置する部位と、右側に位置する孔部８５ｎの後方に位置する部位とに雄型のセレーション８８ｓ、８８ｔが設けられている（図８参照）。
【０１２５】
左側伝達部材８８ｂ及び右側伝達部材８８ｃは略Ｖの形状の梃子を用いて構成され、支持軸８８ａに一体回転可能な状態に装着されている。つまり、図１１に示すように、左側伝達部材８８ｂ及び右側伝達部材８８ｃは後端寄りに位置する部位（以下、「屈曲部８８ｄ」という。）において軸心を屈曲させた棒状体によって構成されている。ここで、左側伝達部材８８ｂ及び右側伝達部材８８ｃにおいて屈曲部８８ｄよりも前方に位置する部位を前方アーム部８８ｆと称し、屈曲部８８ｄよりも後方に位置する部分を後方アーム部８８ｇと称する。また、左側伝達部材８８ｂ及び右側伝達部材８８ｃは屈曲部８８ｄに支点を配設し、後方アーム部８８ｇの後端部８８ｊ側に力点（プランジャ７８ｂからの力が加わる部分）を配設すると共に前方アーム部８８ｆの前端部８８ｋに荷重点（零出防止体８５を支える部分）を配設している。尚、後方アーム部８８ｇの後端部８８ｊ側と、前方アーム部８８ｆの前端部８８ｋ側に面取りが施されている。
【０１２６】
図８に示すように、左側伝達部材８８ｂ及び右側伝達部材８８ｃの屈曲部８８ｄには、前述の雄型のセレーション８８ｓ、８８ｔとセレーション嵌合可能な雌型のセレーション８８ｍ、８８ｎが設けられている。そして、左側伝達部材８８ｂはその雌型のセレーション８８ｍを左側に位置する雄型のセレーション８８ｓにセレーション嵌合することで支持軸８８ａと一体回転可能とされ、右側伝達部材８８ｃはその雌型のセレーション８８ｎを右側に位置する雄型のセレーション８８ｔにセレーション嵌合することで支持軸８８ａと一体回転可能とされている。
【０１２７】
図８（ｂ）及び図１１に示すように、支持軸８８ａに装着された右側伝達部材８８ｃはその前端側の上面部を孔部８５ｎ内に僅かなクリアランスを維持した状態で進入させ、前方アーム部８８ｆの前端側の上面部を孔部８５ｎの上壁面に当接させている。また、図８（ａ）に示すように、支持軸８８ａに装着された左側伝達部材８８ｂは前方アーム部８８ｆの前端側を孔部８５ｍ内に僅かなクリアランスを維持した状態で進入させ、前方アーム部８８ｆの前端側の上面部を孔部８５ｍの上壁面に当接させている。
【０１２８】
前述のように後方アーム部８８ｇの後端部８８ｊ側には面取りが施され、この後端部８８ｊ側は曲面状とされている。より具体的には、図１１に示すように、後方アーム部８８ｇの後端部８８ｊ側は、後端部８８ｊを頂点とした「略半円形の縦断面を有する部分」とされている。そして、右側伝達部材８８ｃの後方アーム部８８ｇにおいては、この「略半円形の縦断面を有する部分」のうちで後端部８８ｊ側よりも下方に位置する部位８８ｑにプランジャ７８ｂの前端部が当接可能とされている。
【０１２９】
このため、プランジャ７８ｂを前進位置に固定すると、右側伝達部材８８ｃはプランジャ７８ｂに邪魔をされ、「後方アーム部８８ｇの後端部８８ｊを下降させるように回転すること（つまり、右側伝達部材８８ｃの右側方から見て右回転方向させること）」が不可能とされている。この場合、左側伝達部材８８ｂは支持軸８８ａを介して右側伝達部材８８ｃと一体でのみ回転可能とされているため、左側伝達部材８８ｂも「後方アーム部８８ｇの後端部８８を下降させるように回転すること（つまり、左側伝達部材８８ｂの右側方から見て右回転方向させること）」が不可能とされている。
【０１３０】
図１１に示すように、右側伝達部材８８ｃの前方アーム部８８ｆの底面部と、張出部８２ｂ上面部の右端端側との間にバネ８８ｗが圧縮状態で介在されている。また、図示を省略するが、左側伝達部材８８ｂの前方アーム部８８ｆの底面部と、張出部８２ｂ上面部の左端側との間にも、同様なバネ８８ｗが圧縮状態で介在されている。つまり、これらのバネ８８ｗは左側伝達部材８８ｂ及び右側伝達部材８８ｃに、前方アーム部８８ｆの前端部８８ｋを上昇させるような回転力（つまり、左側伝達部材８８ｂ及び右側伝達部材８８ｃを右側方から見て右回転方向させるような回転力）を与えることができる。
【０１３１】
このように左側伝達部材８８ｂ及び右側伝達部材８８ｃが、図１３に示すように、前方アーム部８８ｆの前端部８８ｋを上昇させるように回転すると、左側伝達部材８８ｂ及び右側伝達部材８８ｃによって零出防止体８５が持ち上げられる。尚、以下の説明においては、「左側伝達部材８８ｂ、右側伝達部材８８ｃの零出防止体８５を持ち上げる方向に回転する動作」を「上昇動作」と称することがある。尚、この「上昇動作」に伴って、零出防止体８５と受皿本体８０との間に上下方向に沿った相対変位を生ずる。つまり、この「上昇動作」は「相対変位を発生させる動作」の具体例を構成する。
【０１３２】
次に、上昇装置８８及び動作選択用装置７８の作動態様について説明する。先ず、受皿扉ユニット３Ｂの遊技機本体１Ｈに対する閉鎖状態が継続されている場合（つまり、「扉センサ１０ＳからのＯＦＦ信号」の出力が継続されている場合であって、以下「遊技実行可能状態」という。）には、図１２に示すように、動作選択用装置７８に通電を行わない状態とされ、そのプランジャ７８ｂの位置は「前進位置」とされる。
【０１３３】
このとき、プランジャ７８ｂの突端部７８ｃが選択動作伝達部材８６の後端部８６ｇを前方に押圧するため、選択動作伝達部材８６ｂの後退が禁止される。この結果、左側伝達部材８８ｂ、右側伝達部材８８ｃが上昇動作を行うことが禁止されるため、零出防止体８５の状態はその上端面８５ｇを受皿本体８０の上面部よりも下方に位置させた状態（以下、「待避状態」という。）に維持される。
【０１３４】
尚、図１３に示すように、受皿扉ユニット３Ｂが閉鎖状態にあり、しかも動作選択用装置７８への通電を行わない場合、零出防止体８５の状態は「待避状態」に拘束される。つまり、遊技者等が零出防止体８５を無理に持ち上げようとすると、前方アーム部８８ｆの前端側の下面部が孔部８５ｍの下壁面に当接し、右側伝達部材８８ｃの前端部８８ｋ側の下面部が孔部８５ｎの下壁面に当接する（図１１を参照）。しかも、「左側伝達部材８８ｂ及び右側伝達部材８８ｃの上昇動作のための回転」が、プランジャ７８ｂの前端部の当接によってロックされた状態となり、左側伝達部材８８ｂ及び右側伝達部材８８ｃの上昇動作が禁止されるからである。即ち、本実施例の遊技機１は参考発明４の具体例を構成している。
【０１３５】
受皿扉ユニット３Ｂの開放操作に伴って扉センサ１０Ｓが「ＯＮ信号」を出力すると、図１３に示すように、動作選択用装置７８への通電が開始され、そのプランジャ７８ｂの位置が「後退位置」に移行する。しかも、受皿扉ユニット３Ｂの開放動作に伴って選択動作伝達部材８６の後端部８６ｇの後方が開放されるため、選択動作伝達部材８６が後退を開始する。そして、左側伝達部材８８ｂ及び右側伝達部材８８ｃの上昇動作が許容されるため、左側伝達部材８８ｂ及び右側伝達部材８８ｃはバネ８８ｗの付勢力を用いて上昇動作を行う。この結果、零出防止体８５が左側伝達部材８８ｂ及び右側伝達部材８８ｃによって持ち上げられるため、零出防止体８５の状態はその上端面８５ｇを受皿本体８０の上面部よりも上方に位置させた状態（以下、「突出状態」という。）に移行する。
【０１３６】
但し、図１３に示すように、突出状態にある零出防止体８５の受皿本体８０上面部の上方への突出量は第２の側板部７１ｃの右側面部と、右側支持部７２の左側面部とから突出する規制用突起Ｔ、Ｔを用いて規制される。つまり、上昇動作を行う左側伝達部材８８ｂ及び右側伝達部材８８ｃはその動作量が所定量となったところで規制用突起Ｔ、Ｔに当接するため、その動作量をそれ以上増加させることが禁止される。また、「突出状態」に移行したときの「零出防止体８５の受皿本体８０の上面部上方への突出量」は種々選択できるが、遊技メダルの半径を超える量とすることが望ましい。
【０１３７】
尚、本実施例では、扉センサ１０Ｓが「ＯＮ信号」を出力したときに、動作選択用装置７８への通電が開始される態様を例示したが、この通電が開始されるタイミングは本実施例で例示するものに限定されない。例えば、後述する実施例５のように、鍵孔１０Ｗに鍵が挿入されるタイミングで動作選択用装置７８への通電が開始してもよいし、扉センサ１０Ｓが「ＯＮ信号」を出力したときよりも遅れて動作選択用装置７８への通電が開始してもよい。後者の「遅れて動作選択用装置７８への通電を行う場合」には、閉鎖状態にある受皿扉ユニット３Ｂの開放量が増加することに従って左側伝達部材８８ｂ及び右側伝達部材８８ｃの回転量（上昇動作を行うための回転量）が徐々に増加し、零出防止体８５の状態の受皿本体８０の上面部からの突出量が徐々に増加する。
【０１３８】
また、図１４に示すように、開放状態にある受皿扉ユニット３Ｂに閉鎖操作を施して閉鎖状態に移行させると、「扉センサ１０ＳからのＯＦＦ信号の出力」が開始される。この「ＯＦＦ信号の出力」の開始時においては動作選択用装置７８への通電が継続され、そのプランジャ７８ｂの位置が「後退位置」を維持する。このため、零出防止体８５の状態は「突出状態」に維持される。そして、受皿扉ユニット３Ｂの閉鎖状態が一定時間（例えば、１〜２秒）維持されると（換言すると、扉センサ１０ＳからのＯＦＦ信号の出力が一定時間維持されると）、零出防止体８５の状態は「待避状態」に戻される。
【０１３９】
ｂ．電子制御装置の構造
次に、本遊技機１を構成する電子制御装置の概略（本遊技機１の制御回路全体の構成の概略）について、図１５参照して説明する。この電子制御装置は、主制御部（メイン制御部）１００と、サブ制御部２００とを主要部として構成されている。尚、本実施例においてサブ制御部２００は動作選択用装置７８の作動を制御する作動制御部を構成する。
【０１４０】
主制御部１００は、遊技の基本進行を司る制御部（つまり、遊技制御部）であり、内部抽選（後述する。）等、本遊技機１において重要な処理を実行する。また、主制御部１４０は、各種情報発信手段（スタートレバー３５、停止ボタン３６ａ〜３６ｃ、１ＢＥＴボタン３２ａ、３ＢＥＴボタン３２ａ、位置検出センサ１２ａ〜１２ｃ等）から出力される情報を受け取って、所定の演算を行った後、サブ制御部２００等に各種のコマンドを出力する。
【０１４１】
主制御部１００は、主制御基板１００Ａを用いて構成されている。この主制御基板１００は、種々の制御プログラムを実行するＣＰＵ１０１と、ワークメモリ等として機能するＲＡＭ１０２と、制御プログラムや内部抽選に用いるデータ等を格納したＲＯＭ１０３含む構成とされている。
【０１４２】
サブ制御部２００は、主制御部１００に対して所定の伝送経路１２０を用いて接続されている。但し、この伝送経路１２０によるデータの伝送は、主制御部１００からサブ制御部２００への一方向のみ可能とされている（サブ制御部２００から主制御部１００へのデータの伝送は不可能とされている。）。
【０１４３】
サブ御部２００は、主制御部１００の管理の下で主に遊技上の演出を司る制御部（副制御部）であり、サブ制御基板２００Ａを用いて構成されている。このサブ制御基板２００Ａは、種々の制御プログラムを実行するＣＰＵ２０１と、ワークメモリ等として機能するＲＡＭ２０２と、制御プログラム等を格納したＲＯＭ２０３含む構成とされている。また、サブ制御部２００には、表示装置駆動回路部６Ａを介して液晶表示装置６が接続されると共に、スピーカ駆動回路部８Ａを介してスピーカ８、８Ｒが接続されている。また、このサブ制御部２００には、照明駆動回路部９Ａを介して特別ランプ２１ｖ、２１ｗ、２１ｘ、２１ｙ等が接続されている。また、サブ制御部２００は駆動回路部８Ｅを介して動作選択用装置７８に接続されている。
【０１４４】
主制御部１００には、中継基板３００を介して、スタートレバーユニット３５Ａと、停止ボタン３６ａ〜３６ｃと、精算ボタン３３と、１ＢＥＴボタン３２ａと、３ＢＥＴボタン３２ｂと、返却ボタン３８とが接続されている。尚、このスタートレバーユニット３５Ａは、前述のスタートレバー３５と、このスタートレバー３５に施された操作を検出するための「操作検出回路部（図示せず）」等を用いて構成されている。
【０１４５】
スタートレバー３５が操作されたことを「操作検出回路部（図示せず）」が検出すると、操作された旨を示す信号（以下、「操作信号」という。）が、中継基板３００を介して主制御部１００に伝送されるため、主制御部１００は、スタートレバー３５の操作状態を認識することができる。また、停止ボタン３６ａ〜３６ｃ、精算ボタン３３、ＢＥＴボタン３２、若しくは、返却ボタン３８が操作されると、「操作信号」が、中継基板３００を介して主制御部１００に伝送されるため、主制御部１００は、この「操作信号」によって、これらのボタン３６ａ〜３６ｃ、３３、３２、３８の操作状態を認識できる。
【０１４６】
また、主制御部１００には、中継基板３００を介して、貯留枚数表示器２８ａと、役物当選回数表示器２８ｂと、払出枚数表示器２８ｃと、各種ランプ装置７、２１ａ〜２１ｃ、２２〜２６等が接続されている。
【０１４７】
主制御部１００は、モータ駆動回路部５０を介して、図柄表示装置１０が接続されている。また、図柄表示装置１０は、表示リール１１ａ〜１１ｃと、個々の表示リール１１ａ〜１１ｃ毎に配置されたモータ（ステッピングモータ）１２ａ〜１２ｃと、個々の表示リール１１ａ〜１１ｃ毎に配置されたセンサ（光学センサ）１３ａ〜１３ｃと、備える。また、センサ（光学センサ）１３ａ〜１３ｃは、リール位置検出回路部５５を介して主制御部１００に接続されている。
【０１４８】
各モータ（ステッピングモータ）１２ａ〜１２ｃは、各々、対応する表示リール１１ａ〜１１ｃの回転と、停止とを実行するためのモータである。また、各モータ（ステッピングモータ）１２ａ〜１２ｃのシャフトは、対応する表示リール１１ａ〜１１ｃの回転軸として用いられている。更に、各モータ（ステッピングモータ）１２ａ〜１２ｃの回転動作と停止動作は、主制御部１００から送信される制御信号を用いて制御されている。
【０１４９】
センサ（光学センサ）１３ａ〜１３ｃは、対応する表示リール１１ａ〜１１ｃに設けられたインデックス部（基準位置を特定するためのものであって、図示を省略）の通過を検出するに用いられる。つまり、各表示リール１１ａ〜１１ｃの周方向に沿った特定の位置に設けられたインデックス部は、各表示リール１１ａ〜１１ｃと一体で回転し、一回転する間（３６０度回転する間）に、一度だけ、センサ（光学センサ）１３ａ〜１３ｃの検出範囲を通過する。そして、回転する表示リール１１ａ〜１１ｃに設けられたインデックス部が、センサ（光学センサ）１３ａ〜１３ｃの検出範囲を通過する度に、このセンサ（光学センサ）１３ａ〜１３ｃからリール位置検出回路部５５に通過信号が送信される。
【０１５０】
このように、リール位置検出回路部５５が通過信号を受信すると、このリール位置検出回路部５５から、主制御部１００に検出信号が送信される。このため、主制御部１００は、この検出信号を用いて、各表示リール１１ａ〜１１ｃの現状の位相（回転角度）を把握することができる。つまり、検出信号の受信のタイミングと、この受信後に各モータ（ステッピングモータ）１２ａ〜１２ｃに供給した駆動パルスの数と、を主制御部１００が管理する。これによって、この主制御部１００は、各表示リール１１ａ〜１１ｃの現状の位相（回転角度）を把握することができる。
【０１５１】
本遊技機１では、主制御部１００が各表示リール１１ａ〜１１ｃの現状の位相（回転角度）を正確に把握することができることを利用して、所謂「引き込み制御」を実行する。この「引き込み制御」とは、各停止ボタン３６ａ〜３６ｃが操作され、主制御部１００に操作信号（停止信号）が入力されても、対応する表示リール１１ａ〜１１ｃ（対応するモータ１２ａ〜１２ｃ）の回転を瞬時に停止されるのではなく、必要に応じて、この表示リール１１ａ〜１１ｃを付加的な回転角度分だけ回転させた後に回転を停止させるような制御を指す。例えば、各停止ボタン３６ａ〜３６ｃが操作され、主制御部１００に操作信号（停止信号）が入力された後に、必要に応じ、所定のコマ数（例えば４コマ）を限度として複数の図柄分だけ、対応する表示リール１１ａ〜１１ｃを付加的に回転させた後、当該、表示リール１１ａ〜１１ｃの停止を完了する制御を指す。かかる「引き込み制御」を行うと、主制御部１００は、有効な入賞ライン（有効ライン）上に、所望の図柄を停止可能なように、表示リール１１ａ〜１１ｃを停止させることができる。
【０１５２】
また、主制御部１００には、ホッパ駆動回路部６０を介してホッパ６５が接続されている。そして、このホッパ６５が駆動すると、遊技メダル払出口４１から受け皿部２Ｅに向かって、所定数の遊技メダルが払い出される。また、主制御部１００には扉センサ１０Ｓが接続されているため、扉センサ１０Ｓから出力される信号（ＯＮ信号、ＯＦＦ信号）は主制御部１００に入力を経てホールコンピュタＨＰＣとサブ制御部２００へ送信される。そして、サブ制御部２００は、この信号（ＯＮ信号、ＯＦＦ信号）に基づいて動作選択用装置７８の駆動を制御する。
【０１５３】
（２）図柄変動遊技の概略
次に、図１６を用いて遊技機１で実施される図柄変動遊技について説明する。先ず、規定枚数の遊技メダルがベットされると、そのベット数に応じて入賞ラインＮ１〜Ｎ５が有効化される。ここで、本遊技機１は、３枚賭け専用の遊技機であるため、規定枚数は一律に３枚であると共に、図柄変動遊技を開始する際には、常に、全ての入賞ラインＮ１〜Ｎ５が有効化される。但し、後述する「ジャックゲーム中」は、１枚賭けで、図柄変動遊技を開始できる。
【０１５４】
そして、スタートレバー３５が操作され、図柄変動遊技の開始条件が成立すると、全表示リール１１ａ〜１１ｃの回転を開始し、図柄表示装置１０のうちで、表示窓４を通じて視認可能な部位（３個のコマに相当する円弧長の部位）で複数の図柄が循環的に表示され、図柄の変動表示が開始される。また、スタートレバー３５が操作されると、主制御部１００において、所謂「内部抽選」が開始される。この「内部抽選」は、役の成立を許容するか否を抽選するために行われるものである。
【０１５５】
「内部抽選」が完了するころに、全表示リール１１ａ〜１１ｃの回転速度が一定になる。そして、遊技者が、各停止ボタン３６ａ、３６ｂ、３６ｃを所望の順序で操作すると（例えば、順押し）、各表示リール１１ａ〜１１ｃが、各停止ボタン３６ａ、３６ｂ、３６ｃの操作順序に対応した順に停止する。尚、通常、表示リール１１ａ〜１１ｃは、内部抽選の結果と、各停止ボタン３６ａ、３６ｂ、３６ｃに施された操作態様とに基づいて、所定の位相（角度位置）で停止する。つまり、表示リール１１ａ〜１１ｃを停止させるときに、前述の「引き込み制御」が実行される。
【０１５６】
このように、全表示リール１１ａ〜１１ｃの回転が停止すると、一回の図柄変動遊技を終了する。そして、図柄表示装置１０において、予め設定された有効ライン（本実施例では、Ｎ１〜Ｎ５）に沿って停止表示された停止図柄によって、当該「図柄変動遊技の結果（役の成立が確定したか否か）」が判定される。そして、有効ラインＮ１〜Ｎ５に沿って停止表示された停止図柄によって構成される表示が、内部抽選で当選した役を成立させる確定表示となり、当該役の成立が確定を示す「確定表示（入賞役確定表示、若しくは、再遊技役確定表示）」がなされると、遊技者には、遊技機１の遊技状態に応じて、以下に示すような遊技価値が付与される。
【０１５７】
ａ．一般遊技状態の場合
遊技機１の遊技状態が、一般遊技状態（後述する。）であるときには、確定表示の態様に応じて、図１６に示すような遊技価値が付与される。つまり、（１）何れかの有効ラインＮ１〜Ｎ５に沿って、「７（赤）図柄」、若しくは、「７（青）図柄」が、３つ揃った状態に確定表示されると（つまり、「ＢＢ入賞役の確定表示がなされると）、ビッグボーナス役（以下、「ＢＢ役」といい、詳細を後述する。）の成立が確定し、１５枚の遊技メダルが付与される。
【０１５８】
（２）何れかの有効ラインＮ１〜Ｎ５に沿って、「ＢＡＲ図柄」が、３つ揃った状態に確定表示されると（つまり、ＲＢ入賞役の確定表示がなされると）、レギュラーナス役（以下、「ＲＢ役」といい、詳細を後述する。）の成立が確定し、１５枚の遊技メダルが付与される。
【０１５９】
（４）何れかの有効ラインＮ１〜Ｎ５に沿って、「ベル図柄」が、３つ揃った状態に確定表示されると（つまり、ベルの小役の確定表示がなされると）、ベルの小役の成立が確定し、１５枚の遊技メダルが付与される。また、（５）何れかの有効ラインＮ１〜Ｎ５に沿って、「スイカ図柄」が、３つ揃った状態に確定表示されると（つまり、スイカの小役の確定表示がなされると）、スイカの小役の成立が確定し、１０枚の遊技メダルが付与される。更に、（６）有効ラインＮ１〜Ｎ５上の何れかの位置に、「チェリー図柄」が、確定表示されると（つまり、チェリーの小役の確定表示がなされると）、チェリーの小役の成立が確定し、２枚の遊技メダルが付与される。更に、（７）何れかの有効ラインＮ１〜Ｎ５に沿って、「ｒｅｐｌａｙ図柄（リプレイ図柄）」が、３つ揃った状態に確定表示されると（つまり、再遊技役の確定表示がなされると）、再遊技役が確定し、再遊技に係る遊技価値が付与される。
【０１６０】
ｂ．レギュラーナスゲームを実行する遊技状態の場合
遊技機１の遊技状態が、レギュラーボーナスゲーム（以下、「ＲＢゲーム」という。）を実行する状態にあるときには、確定表示の態様に応じて以下のような遊技価値が付与される。つまり、（１１）何れかの有効ラインＮ１〜Ｎ５に沿って、「リプレイ図柄」が、３つ揃った状態に確定表示されると（以下、「ジャック入賞確定図柄」と称することがある。）、１５枚の遊技メダルが付与される。尚、以下の説明においてレギュラーボーナスを「ＲＢ」と表記する。
【０１６１】
ｃ．ビッグボーナスゲームを実行する遊技状態の場合
遊技機１の遊技状態が、ビッグボーナスゲーム（以下、「ＢＢゲーム」という。）を実行する状態にあるときには、確定表示の態様に応じて以下のような遊技価値が付与される。つまり、（２１）何れかの有効ラインＮ１〜Ｎ５に沿って、「リプレイ図柄」が、３つ揃った状態に確定表示されると、「ＲＢ役」の成立が確定し（以下、「ジャックイン」ということがある。）、３枚の遊技メダルが付与される。
【０１６２】
（２２）何れかの有効ラインＮ１〜Ｎ５に沿って、「ベル図柄」が、３つ揃った状態に確定表示されると、ベルの小役の成立が確定し、８枚の遊技メダルが付与される。また、（２３）何れかの有効ラインＮ１〜Ｎ５に沿って、「スイカ図柄」が、３つ揃った状態に確定表示されると、スイカの小役の成立が確定し、７枚の遊技メダルが付与される。更に、（２４）有効ラインＮ１〜Ｎ５上の何れかの位置に、「チェリー図柄」が、確定表示されると、チェリーの小役の成立が確定し、２枚の遊技メダルが付与される。尚、以下の説明においてビッグボーナスを「ＢＢ」と表記する。
【０１６３】
（３）ソレノイド駆動処理
サブ制御部２００は「動作選択用装置７８を構成するソレノイドの駆動」を図１７に示す態様で制御する。つまり、サブ制御部２００は扉センサ（開閉検出スイッチ）１０ＳからＯＮ信号（扉開信号）が出力されるまで待機する（Ｓ１０）。換言すると、サブ制御部２００は受皿扉ユニット３Ｂに開放操作が施されるまで待機する。
【０１６４】
そして、サブ制御部２００が「ＯＮ信号（扉開信号）」を受信すると（Ｓ１０；ＹＥＳ）、動作選択用装置（ソレノイド）７８への通電を開始させ、そのプランジャ７８ｂの位置を「後退位置」に退避させる（Ｓ２０）。これに伴って選択動作伝達部材８６が後退し、左側伝達部材８８ｂ及び右側伝達部材８８ｃがバネ８８ｗの付勢力を用いて上昇動作を行う。その結果、零出防止体８５が左側伝達部材８８ｂ及び右側伝達部材８８ｃによって持ち上げられ、零出防止体８５の状態が「突出状態」に移行する。
【０１６５】
サブ制御部２００は受皿扉ユニット３Ｂの状態が開放状態にある間、動作選択用装置（ソレノイド）７８への通電を継続する。つまり、受皿扉ユニット３Ｂの状態が開放状態にある間、零出防止体８５の突出状態を維持したまま、扉センサ（開閉検出スイッチ）１０ＳからＯＦＦ信号（扉閉信号）が出力されるまで待機する（Ｓ３０）。但し、サブ制御部２００はこの「ＯＦＦ信号（扉閉信号）」を受信しても直ちに動作選択用装置（ソレノイド）７８への通電を停止するのではなく、一定時間（例えば、１秒間）経過した後に動作選択用装置（ソレノイド）７８への通電を停止する（Ｓ４０，Ｓ５０，Ｓ６０）。
【０１６６】
つまり、サブ制御部２００は「ＯＦＦ信号（扉閉信号）」を受信すると（Ｓ３０；ＹＥＳ）、時間計測を開始する（Ｓ４０）。そして、計測時間が一定時間（例えば、１秒間）となったところで（Ｓ５０；ＹＥＳ）、動作選択用装置（ソレノイド）７８への通電を停止する（Ｓ６０）。この通電の停止により、零出防止体８５の状態は「待避状態」に戻される。
【０１６７】
即ち、本実施例の遊技機１では、受皿扉ユニット３Ｂに施される開放操作に伴って零出防止体８５の状態が「待避状態」から「突出状態」に移行する。また、受皿扉ユニット３Ｂが開放状態である間、受皿扉ユニット３Ｂに閉鎖操作が施されている最中にも、零出防止体８５の状態が「突出状態」に維持される。そして、受皿扉ユニット３Ｂの状態が閉鎖状態に戻された後、直ちに零出防止体８５の状態が「待避状態」に戻されるのではなく、「突出状態」で一定時間（例えば、１秒間）待機した後、待避状態に戻される。
【０１６８】
（５）実施例１の効果
以上の実施例１の遊技機１では、受皿扉ユニット３Ｂに施される開放動作の実行中のみならず、開放動作の終了時においても「抑制動作」が継続される。このため、受皿扉ユニット３Ｂに開放操作を施す際、貯留室８０ｔに多量の遊技メダルが貯留されていたとしても、この受皿扉ユニット３Ｂの開放操作に伴って遊技メダルが零れ出ることを抑制できる。また、上昇装置８８は受皿扉ユニット３Ｂが開放状態である場合のみならず、閉鎖操作の実行中においても上昇動作を実行する状態に維持される。
【０１６９】
しかも、受皿扉ユニット３Ｂへの閉鎖操作が完了した後（つまり、受皿扉ユニット３Ｂが閉鎖状態に戻された後）も、上昇動作を生じた状態は所定時間（例えば、１秒間）維持される。つまり、受皿扉ユニット３Ｂへの閉鎖操作（閉鎖動作）を完了して受皿扉ユニット３Ｂが閉鎖状態となった後、所定時間（例えば、１秒間）待機する。そして、待機時間が経過した後に上昇装置８８は「上昇動作」を停止させる。このため、受皿扉ユニット３Ｂに閉鎖操作を施す際、貯留室８８ｔに多量の遊技メダルが貯留されていたとしても、「受皿扉ユニット３Ｂから遊技メダルが零れ出すこと」を抑制できる。
【０１７０】
従って、実施例１の遊技機１によると、受皿扉ユニット３Ｂの開放時の勢い等による受皿扉ユニット３Ｂからの遊技メダルの零出、及び、受皿扉ユニット３Ｂ閉鎖時の衝撃等による遊技メダルの零出等を的確に抑制できる。しかも、実施例１の遊技機よると、この零出抑制を円滑に行うことができる。つまり、実施例１の遊技機１では受皿扉ユニット３Ｂに施される通常の操作に連動して上昇動作を開始したり、終了する。即ち、抑制動作を開始させたり、終了させるための「特別な操作」を行うことが必要とされない。よって、実施例１の遊技機によると、「遊技メダルの零出抑制」のため、パチンコホールの関係者や遊技者等に余計な負担を負わせることがないばかりか、この「遊技球の零出抑制」を円滑に行うことができる。
【０１７１】
Ｂ．実施例２
次に図１８〜図２０を用いて実施例２の遊技機について説明する。この遊技機は以下の点が異なる他は実施例１の遊技機と同様である。つまり、（ａ）実施例２では零出防止体８５Ａを曲板で構成する点と、（ｂ）第２の側板部７１ｃのスライド溝７１ｆ及び右側支持部７２のスライド溝７２ｆを円弧状の経路を描く状態に設けられている点と、（ｃ）零出防止体８５の両側方端面のスライド突起８５Ａ、８５Ｂを各々複数（２個）の小突起（実施例１のスライド突起８５ａ、８５ｂよりも小さな突起の意味で用いる。）８５１、８５１で構成している点が実施例１と異なる。
【０１７２】
図１８に示すように、零出防止体８５Ａは受皿本体８０から離間する方向に膨らむ曲板を用いて構成されている。つまり、左右方向に軸心を配置して円筒の一部を用いたような構成とされている。また、図２０（ａ）及び（ｂ）に示すように、スライド溝７１ｆ、７２ｆは零出防止体８５Ａと略同一の曲率を有する経路を描く状態にて、第２の側板部７１ｃ及び右側支持部７２の上半部に設けられている。また、図２０（ｃ）及び（ｄ）に示すように、小突起８５１、８５１は零出防止体８５の両側方端面の上端側と中間部に設けられている。
【０１７３】
実施例２においても零出防止体８５Ａの状態が「待避状態」にあるとき、図１８に示すように、零出防止体８５Ａは受皿本体８０の上面部の上方に突出しない状態とされる。一方、上昇装置８８が「上昇動作」を行うと、図１９に示すように、零出防止体８５Ａはその両側方端面の小突起８５１、８５１を、スライド溝７１ｆ、７２ｆ内で摺動させつつ上昇する。この零出防止体８５Ａの上昇は円弧状の経路を描きつつ行われる。そして、この上昇により零出防止体８５Ａが「突出状態」となると、零出防止体８５Ａの上端部側が貯留室８０ｔを上方（零出防止体８５Ａの上端部が貯留室８０ｔを上方から覗き込む位置）に到達する。
【０１７４】
実施例２の遊技機においても実施例１の遊技機１と同様な効果が得られる。しかも、実施例２の遊技機においては、突出状態となった零出防止体８５Ａによって貯留室８０ｔの鉛直上方まで到達する壁が形成されるため、「遊技球の零出抑制」をより確実に実行することができる。
【０１７５】
Ｃ．実施例３
次に、図２１〜図２５を用いて実施例３の遊技機について説明する。この遊技機は、以下の点が異なる他は実施例１の遊技機と同様である。つまり、（ａ）実施例３では零出防止体８５Ｂが固定状態（上下動しない状態）に配設される点と、（ｂ）受皿本体８０が下降可能な状態に配設される点が実施例１と、（ｃ）上昇装置８８を構成する左側伝達部材８８ｂ及び右側伝達部材８８ｃの形状・サイズを変更して、この上昇装置８８を下降装置８８Ａに転用した点とが異なる。
【０１７６】
つまり、図２２、図２３（ａ）及び（ｂ）に示すように、実施例３では零出防止体８５Ｂは第２の側板部７１ｃ及び右側支持部７２に一体化されている。また、第２の側板部７１ｃの右側面部において零出防止体８５Ｂの配置箇所よりも後方の２カ所にはスライド溝７１Ｆが設けられている。これらのスライド溝７１Ｆは第２の側板部７１ｃの上端部と右側面部とで略矩形状に開口しつつ上下に縦長されている。また、このスライド溝７１Ｆの上下幅は第２の側板部７１ｃの上下幅の略半分とされ、第２の側板部７１ｃにおいてスライド溝７１Ｆの下端部を構成する部位がスライド溝７１Ｆの上部開口を指向する面７１Ｇとされている。尚、以下の説明においてこの面７１Ｇも規制面７１Ｇと称する。
【０１７７】
図２２に示すように、右側支持部７２に左側面部において各スライド溝７１Ｆ、７１Ｆと対向する位置（左右に位置合わせされる位置）にも、各スライド溝７１Ｆ、７１Ｆと同形状で同サイズのスライド溝７２Ｆ、７２Ｆが形成されている。尚、右側支持部７２においてこのスライド溝７２の下端部を構成する部位がスライド溝７２Ｆの上部開口を指向する面（図示を省略）とされている。尚、以下の説明においてこの面（図示を省略）も規制面と称する。
【０１７８】
図２２に示すように、実施例３の受皿本体８０においてはその両側面部に各々２個ずつのスライド突起８０Ｔ、８０Ｔが設けられている。つまり、受皿本体８０の左側面部においては第２の側板部７１ｃの各スライド溝７１Ｆ、７１Ｆと左右に位置合わせ可能な位置にスライド突起８０Ｔ、８０Ｔが設けられ、受皿本体８０の右側面部においては右側支持部７２の各スライド溝７２Ｆ、７２Ｆと左右に位置合わせ可能な位置にスライド突起８０Ｔ、８０Ｔが設けられている。これらのスライド突起８０Ｔは受皿本体８０の各側面部の上半部において縦長の略直方体に形成され、僅かなクリアランスを維持した状態に対応するスライド溝７１Ｆ、７２Ｆに嵌合可能とされている。
【０１７９】
実施例３の受皿本体８０は左右両側面部の各スライド突起８０Ｔを対応するスライド溝７１Ｆ、７２Ｆに嵌合することで、第２の側板部７１ｃ及び右側支持部７２に支持された状態となる。但し、嵌合されるスライド突起８０Ｔ、８０Ｔと、スライド溝７１ｆ、７２ｆとの間にはクリアランスが確保されているため、受皿本体８０は第２の側板部７１ｃ及び右側支持部７２を基準に上昇可能とされている。
【０１８０】
実施例３の受皿本体８０においては各スライド突起８０Ｔの下端面と対応するスライド溝７１Ｆ、７２Ｆの規制面７１Ｇに当接させたところで、この受皿本体８０の位置は下方限界位置となる。つまり、受皿本体８０の位置が下方限界位置になると、図２４に示すように、受皿本体８０の上面部は零出防止体８５Ｂの上端面８５ｇよりも下方に位置する状態となる。一方、この下方限界位置にある受皿本体８０を上方に押し上げると、各スライド突起８０Ｔを対応するスライド溝７１Ｆ、７２Ｆ内で摺動させつつ受皿本体８０を上昇させると、「受皿本体８０の上面部を零出防止体８５の上端面８５ｇと略同一の高さとする基準位置」に到達する。この基準位置が実施例３の遊技機が使用状態とされる際の位置（受皿本体８０の高さ位置）である。
【０１８１】
実施例３の下降装置８８Ａは実施例１の上昇装置８８と以下の点が異なる。つまり、この下降装置８８Ａにおいては左側伝達部材８８ｂ及び右側伝達部材８８ｃの形状・サイズを変更している。つまり、左側伝達部材８８ｂ及び右側伝達部材８８ｃを構成する各前方アーム部８８ｆの全長を短くして零出防止体８５と各前方アーム部８８ｆとを非接触としている。一方、左側伝達部材８８ｂ及び右側伝達部材８８ｃを構成する後方アーム部８８ｇの肉厚（上下方向幅）を拡大すると共に後方アーム部８８ｇの後端部８８ｊ上方側に支持用角部８８ｘを形成している。
【０１８２】
図２１に示すように、受皿扉ユニット３Ｂが閉鎖状態とされると共に動作選択用装置（ソレノイド）７８へ通電が行われない場合おいては支持用角部８８ｘが受皿本体８０の下面部に当接しつつ受皿本体８０の高さ位置を基準位置に維持する。一方、図２４に示すように、受皿扉ユニット３Ｂが開放状態とされたり、動作選択用装置（ソレノイド）７８へ通電が行われるか、若しくは、双方が行われると、左側伝達部材８８ｂ及び右側伝達部材８８ｃが「右側方から見て右回転方向」に回転するため、支持用角部８８ｘの高さ位置が低くなる。そして、支持用角部８８ｘの高さ位置が低くなった分だけ、受皿本体８０の高さ位置が低くなる。尚、この低くなった高さ位置（以下、「下降位置」という。）は下方限界位置であってもよいし、下方限界位置と基準位置との間の位置から選択される高さ位置あってもよい。
【０１８３】
次に、実施例３の「ソレノイド駆動処理」について図１７を用いて説明する。この実施例３においても、サブ制御部２００は扉センサ（開閉検出スイッチ）１０ＳからＯＮ信号（扉開信号）を受信すると（Ｓ１０；ＹＥＳ）、動作選択用装置（ソレノイド）７８への通電を開始させ、そのプランジャ７８ｂの位置を「後退位置」に退避させる（Ｓ２０）。これに伴って選択動作伝達部材８６が後退し、左側伝達部材８８ｂ及び右側伝達部材８８ｃがバネ８８ｗの付勢力を用いて「右側方から見て右回転方向」に回転する動作（以下、「下降動作」という。）を行う。その結果、受皿本体８０が下降して受皿本体８０の位置が「下降位置」に移行する（図２４を参照）。
【０１８４】
実施例３においても、サブ制御部２００は受皿扉ユニット３Ｂの状態が開放状態にある間、動作選択用装置（ソレノイド）７８への通電を継続する。また、実施例１と同様に、サブ制御部２００は「ＯＦＦ信号（扉閉信号）」を受信すると（Ｓ３０；ＹＥＳ）、動作選択用装置（ソレノイド）７８への通電を継続しつつ時間計測を開始する（Ｓ４０）。つまり、サブ制御部２００は「ＯＦＦ信号（扉閉信号）」を受信しても、受皿本体８０の位置が暫くの間「下降位置」に維持される（図２５を参照）。そして、サブ制御部２００が「ＯＦＦ信号（扉閉信号）」を受信すると同時に開始した時間計測（Ｓ４０）によって一定時間（例えば、１秒間）が計測されたところで（Ｓ５０；ＹＥＳ）、動作選択用装置（ソレノイド）７８への通電を停止する（Ｓ６０）。この通電の停止により受皿本体８０の高さ位置は「基準位置」に戻される（図２１を参照）。
【０１８５】
このように受皿本体８０の高さ位置を、零出防止体８５を基準に変動させる実施例２の遊技機においても実施例１の遊技機１と同様な効果が得られる。
【０１８６】
Ｄ．実施例４
次に、図２６及び図２７を用いて実施例４の遊技機について説明する。この遊技機は以下の点が異なる他は実施例１及び実施例３の遊技機と同様である。つまり、（ａ）零出防止体８５Ｄが上昇可能とされると共に受皿本体８０Ｄが下降可能とされる点と、（ｂ）零出防止体８５Ｄを上昇させるための上昇装置８８Ｄとしてモータ８５Ｍを備えるもの使用し、受皿本体８０Ｄが下降させるための下降装置８８Ｅとしてソレノイド８８Ｓを備えるもの使用する点とが異なる。また、図示を省略するが零出防止体８５Ｄを上下動可能に支持するための構造としては実施例１と同様な「スライド突起８５ａ、８５ｂとスライド溝７１ｆ、７２ｆとのスライド嵌合を用いた構造」が使用されている。また、受皿本体８０Ｄを上下動可能に支持するための構造としては実施例３と同様な「スライド突起８０Ｔ、８０Ｔとスライド溝７１Ｆ、７２Ｆとのスライド嵌合を用いた構造」が使用されている。
【０１８７】
実施例４の上昇装置８８Ｄは回転軸の軸心を左右方向に向けたモータ（ステピングモータ）８５Ｍとピニオン８５Ｐとを備えている。また、零出防止体８５Ｄの後面部下端側には上下方向に沿ってラック８５Ｒが装着され、このラック８５Ｒとピニオン８５Ｐとが噛合されている。そして、零出防止体８５Ｄの高さ位置が基準位置にあるとき、サブ制御部２００が「モータ８５Ｍを一方の回転方向（以下、「正回転方向」という。）」に回転させると、零出防止体８５Ｄの高さ位置を基準位置よりも上方の上昇位置へ移行させることができる。一方、零出防止体８５Ｄの高さ位置が上昇位置にあるとき、サブ制御部２００が「モータ８５Ｍを他方の回転方向（以下、「逆回転方向」という。）」に回転させると、零出防止体８５Ｄの高さ位置は基準位置へ移行することができる。
【０１８８】
実施例４の下降装置８８Ｅは軸受（図示を省略）によって上下にスライド可能に支持されたプランジャ８８Ｐと、プランジャ８８Ｐの外周位置に配置されたソレノイドコイル（図示を省略）と、復帰手段（復帰バネであって、図示を省略）とを備える。この下降装置８８Ｅを構成するプランジャ８８Ｐはその突端部８８Ｑを上方に向け、軸心を上下に向けた状態とされている。尚、突端部８８Ｑは円板形状とされている。
【０１８９】
この下降装置８８Ｅではソレノイドコイルへの通電を行わないとき（下降装置８８Ｅとしてのソレノイドを消磁したとき）には、プランジャ８８Ｐは復帰手段（復帰バネ）の付勢力により、上方（プランジャ８８Ｐの突出量を増やす方向）に駆動する。このとき、プランジャ８８Ｐの突端部８８Ｑが受皿本体８０Ｄの下面部に当接しつつ受皿本体８０Ｄの高さ位置を基準位置に維持する。尚、零出防止体８５Ｄの高さ位置が基準位置にあり、しかも受皿本体８０Ｄの高さ位置が基準位置である場合、受皿本体８０Ｄの上面部と零出防止体８５Ｄの上端面８５ｇとが略同一の高さに揃えられる。
【０１９０】
また、この下降装置８８Ｅではソレノイドコイルへの通電を行うと（下降装置８８Ｅとしてのソレノイドを励磁すると）、ソレノイドコイルからプランジャ８８Ｐへ、電流に比例した大きさの牽引力を生ずる。このため、プランジャ８８Ｐは復帰手段（復帰バネ）の付勢力に対抗しつつ、下方（プランジャ８８Ｐの突出量を減らす方向）に駆動する。このとき、プランジャ８８Ｐの突端部８８Ｑの下降に伴って、この突端部８８Ｑで支持されている受皿本体８０Ｄの高さ位置が基準位置より下方の下方位置に移行する。
【０１９１】
次に、実施例４の「ソレノイド・モータ駆動処理」について図２７を用いて説明する。この実施例４においては、サブ制御部２００は扉センサ（開閉検出スイッチ）１０ＳからＯＮ信号（扉開信号）を受信すると（Ｓ１０；ＹＥＳ）、下降装置８８Ｅへの通電を開始させてプランジャ８８Ｐの突出量を少なくすると共に、上昇装置８８Ｄを構成するモータ８８Ｍを「所定の回転量」だけ正回転させる（Ｓ２１）。これにより、受皿本体８０Ｄの高さ位置が下方位置に移行すると共に零出防止体８５Ｄの高さ位置が上昇位置に移行する。その結果、「受皿本体８０Ｄの下降距離と零出防止体８５Ｄの上昇距離との総和分」だけ、零出防止体８５の上端面８５ｇが受皿本体８０Ｄの上面部よりも上方へ突出する。
【０１９２】
実施例４においてはサブ制御部２００は受皿扉ユニット３Ｂの状態が開放状態にある間、下降装置８８Ｅへの通電を継続すると共にモータ８８Ｍを停止状態とする。そして、実施例１と同様に、サブ制御部２００は「ＯＦＦ信号（扉閉信号）」を受信すると（Ｓ３０；ＹＥＳ）、時間計測を開始する（Ｓ４０）。そして、計測時間が一定時間（例えば、１秒間）となったところで（Ｓ５０；ＹＥＳ）、下降装置８８Ｅへの通電を停止すると共にモータ８８Ｍを前記「所定の回転量（Ｓ２１の処理でモータ８８Ｍが行った回転量）」と同量だけ逆回転させる。これにより、零出防止体８５Ｄ及び受皿本体８０Ｄの高さ位置が基準位置に戻され、受皿本体８０Ｄの上面部と零出防止体８５Ｄの上端面８５ｇとが略同一の高さに揃えられる。
【０１９３】
このように受皿本体８０Ｄ及び零出防止体８５Ｄの双方に変位を生じさせる実施例４の遊技機においても実施例１の遊技機１と同様な効果が得られる。しかも、実施例４の遊技機では、受皿本体８０Ｄ及び零出防止体８５Ｄの双方が上下へ離間する方向に変位するため、「小さなスペース」を用いつつも零出防止体８５Ｄの受皿本体８０Ｄの上方への突出量を拡大できる。つまり、物零出防止体８５Ｄ、受皿本体８０Ｄ個々に与える変位が少なくても、零出防止体８５Ｄの受皿本体８０Ｄの上方への突出量を拡大することができる。従って、実施例４の遊技機によると、当該遊技機前面側の限られたスペースを利用しつつ「遊技コインの零出」を的確に抑制することができる。
【０１９４】
Ｅ．実施例５
次に、図２８及び図２９を用いて実施例５の遊技機について説明する。この遊技機は施錠装置１０Ｋの鍵孔１０Ｗに鍵が挿入されたとき、上昇装置８８が上昇動作を開始する点が実施例１の遊技機１と異なっている。
【０１９５】
つまり、実施例５の遊技機は鍵孔１０Ｗへの鍵の挿入を検出するための挿入検出用センサ（図示を省略）を備えている。そして、この挿入検出用センサが鍵の挿入を検出すると上昇装置８８が上昇動作を開始する。即ち、各実施例の遊技機においては鍵孔１０Ｗに鍵の挿入するだけではなく、この挿入された鍵を回転操作すると、この鍵の回転操作に連動して受皿扉ユニット３Ｂは僅かな量だけ開放動作を行うため、扉センサ（開閉検出スイッチ）１０ＳからＯＮ信号（扉開信号）が出力される。そして、各実施例の遊技機においてはこのＯＮ信号（扉開信号）の出力を契機に「上昇装置８８の上昇動作」等を開始させていたが、実施例５では鍵を回転操作する前の段階（受皿扉ユニット３Ｂの開放操作の際に最先に行われる操作、つまり、鍵孔１０Ｗへの鍵を挿入する操作）によって上昇装置８８に上昇動作を開始させることとしている（図２８を参照）。
【０１９６】
次に実施例５の「ソレノイド駆動処理」について図２９を用いて説明する。つまり、サブ制御部２００は挿入検出用センサから鍵挿入信号（鍵孔１０Ｗに鍵が挿入されていることを示す信号）が出力されるまで待機する（Ｓ１）。そして、サブ制御部２００は「挿入検出用センサから出力された鍵挿入信号」を受信すると（Ｓ１；ＹＥＳ）、動作選択用装置（ソレノイド）７８への通電（Ｓ２）と時間計測を開始する（Ｓ３）とを開始させる。
【０１９７】
そして、「Ｓ３の処理で開始された時間計測」によって特定時間（例えば、１０秒）が計測されるまでの間に、扉センサ（開閉検出スイッチ）１０ＳからＯＮ信号（扉開信号）が出力されない場合（Ｓ５；ＮＯ，Ｓ６；ＮＯ）、サブ制御部２００は動作選択用装置（ソレノイド）７８への通電を停止させ（Ｓ７）、Ｓ８０以降の処理へ移行する。つまり、この場合、パチンコホールの店員等が受皿扉ユニット３Ｂの開放操作を継続する意志が無い（つまり、鍵の回転操作を行わない。）とみなし、上昇装置８８の上昇動作を停止させる。
【０１９８】
一方、サブ制御部２００は「特定時間（例えば、１０秒）が計測されるまでの間にＯＮ信号（扉開信号）を受信した場合（Ｓ５；ＹＥＳ）、扉センサ（開閉検出スイッチ）１０ＳからＯＦＦ信号（扉閉信号）が出力されるまで待機する（Ｓ３０）。そして、サブ制御部２００は「ＯＦＦ信号（扉閉信号）」を受信すると（Ｓ３０；ＹＥＳ）、時間計測を開始し（Ｓ４１）、その計測時間が一定時間（例えば、１秒間）となったところで（Ｓ５０；ＹＥＳ）、動作選択用装置（ソレノイド）７８への通電を停止させた後（Ｓ６０）、Ｓ８０以降の処理へ移行する。
【０１９９】
Ｓ８０の処理は「鍵が鍵孔１０Ｗから抜き取られているか否か」を判断するための処理である。つまり、サブ制御部２００は「鍵挿入信号の出力が継続している」と判断すると（Ｓ８０；ＮＯ）、報知処理を行う（Ｓ８２）。具体的には、当該遊技機から報知音（警告音）を発音させたり、所定のランプを点灯若しくは点滅させ、パチンコホールの店員等に「鍵の抜き忘れ」を報知する。そして、サブ制御部２００はＳ８０の処理で肯定的な判断をなされるまでこの報知を継続し、Ｓ８０の処理で肯定的な判断をなされると、実施例５の「ソレノイド駆動処理」を終了させる。
【０２００】
実施例５の遊技機においても実施例１の遊技機１と同様な効果が得られる。
【０２０１】
Ｆ．実施例６
次に図３０（ａ）及び図３１を用いて実施例６の遊技機について説明する。この実施例６の遊技機では「受皿本体８０の貯留室８０ｔ」に貯留される遊技メダルの量に応じて「上昇装置８８の上昇動作」を禁止するものである。
【０２０２】
実施例６の受皿本体８０には貯留量検出装置８０Ｖが配設されている。この実施例６の貯留量検出装置８０Ｖは貯留室８０ｔ内に貯留されている遊技メダルの容量を検出するためのものである。そして、実施例６では発光部８０Ｗと、発光部８０Ｗから発光される光を受光可能な受光部８０Ｘとで構成される貯留量検出装置８０Ｖ（光センサ）を例示している。つまり、貯留室８０ｔの内壁部上方側に貯留量検出装置８０Ｖが配設されている。そして、貯留室８０ｔ内に貯留される遊技メダルの容量が所定量（例えば、貯留室８０ｔの許容貯留量の７０％の量）を超えた場合、貯留量検出装置８０Ｖは検出信号を出力する。
【０２０３】
つまり、発光部８０Ｗから発光される光を遊技メダルによって遮り、当該発光される光を受光部８０Ｘで受光不能となったとき、検出信号が出力される。尚、この貯留量検出装置８０Ｖは実施例６で例示するものに限定されない。例えば、図３０（ｂ）に示すように、「貯留室８０ｔ内に貯留される遊技メダルの重量を計量するための重量測定装置８０Ｙ」であってもよい。
【０２０４】
次に実施例６の「ソレノイド駆動処理」について図３１を用いて説明する。つまり、実施例６の「ソレノイド駆動処理」はＳ１０の処理とＳ２０の処理の間にＳ１５の処理が付加されている点が実施例１の「ソレノイド駆動処理」と異なる。つまり、実施例６においてサブ制御部２００は「ＯＮ信号（扉開信号）」を受信すると（Ｓ１０；ＹＥＳ）、貯留室８０ｔ内に貯留されている遊技メダルの量が所定量以下であるか否かを判断する（Ｓ１５）。即ち、貯留量検出装置８０Ｖから検出信号が出力されているか否かが判断される（Ｓ１５）。
【０２０５】
そして、貯留室８０ｔ内に貯留されている遊技メダルの量が所定量を超える場合に限ってＳ２０以降の処理へ移行する。換言すると、遊技メダルの量が所定量以下の場合（サブ制御部２００が貯留量検出装置８０Ｖからの検出信号を受信していない場合）、Ｓ２０以降の処理へ移行することなく「ソレノイド駆動処理」を終了する。つまり、サブ制御部２００は参考発明３の発明の「禁止手段」としての処理を実行することになる。
【０２０６】
実施例６によると、実施例１の効果に加えて以下の効果が得られる。つまり、実施例６の遊技機では貯留室８０ｔ内に貯留される遊技メダルの量が所定量を超えて存在するときだけに上昇装置８８が上昇動作を行う。即ち、貯留室８０ｔ内に貯留されている遊技メダルの量が少なく、受皿扉ユニット３Ｂの開閉操作時に遊技メダルが零れ出る可能性が低い場合に「上昇装置８８の上昇動作」の実行を禁止する。よって、上昇装置８８が無駄な動きを行わないため、遊技機の負荷防止を図ることができる。
【０２０７】
Ｇ．実施例７
次に実施例７の遊技機５００について説明する。この実施例では各請求項に係る発明を弾球遊技機（パチンコ機）に適用した具体例について説明する。
【０２０８】
実施例７の遊技機５００は、図３２及び図３３に示すように、外枠５０２と、この外枠５０２に装着された遊技機本体５００Ｈとを備えている。このうち、外枠５０２は略矩形状の枠状体によって構成されている。また、遊技機本体５００Ｈは外枠５００の左端側上下のヒンジＨ１、Ｈ２を用いて、外枠５０２の左端側に回動自在に組み付けてられている。この遊技機本体５００Ｈは、実施例７の遊技機５００のうちで外枠５０２を除く部分であって、本体扉枠５０３と、ガラス扉枠（前面枠）５０４と、受皿扉ユニット（所謂、上皿部材）５０５と、補助受皿扉ユニット（所謂、下皿部材）５０６と、遊技盤５１０（図３５を参照）等を主要部としている。
【０２０９】
本体扉枠５０３は、図３４に示すように外枠５０２の内側に嵌めこまれ、外枠５０２に対して開閉可能に軸支されている。つまり、本体扉枠５０３の左端側の上下が、外枠５０２に対して軸支され、外枠５０２に対して開閉可能とされている。また、図３４に示すように、本体扉枠５０３のうちで上方側及び中間側の部位には、その前後を貫通する状態に窓部５０３Ｍが設けられている。そして、本体扉枠５０３の後面部のうちで、この窓部５０３Ｍを取り囲む部位からは、遊技盤５１０が挿入される保持用突出部５３３ｇが突出している。
【０２１０】
本体扉枠５０３の右端側の後面部であって、保持用突出部５３３ｇの右側方に位置する部位に施錠装置５０７が装着されている（図３４を参照）。この施錠装置５０７は、上下に長尺状とされており（図３３を参照）、その前面部を、本体扉枠５０３の後面部に当接させた状態で本体扉枠５０３に装着されている。この施錠装置５０７の前面部では、上端部側と中間部とにおいて係合部（ガラス扉枠施錠用の係合部）５０７Ｋ、５０７Ｋを前方に突出させている（図３３を参照）。また、施錠装置５０７の前面部の下方側においても係合部（受皿扉ユニット施錠用の係合部）５０８Ｋを突出させている（図３３を参照）。更に、この施錠装置５０７の後面部の上下にも係合部（本体扉枠施錠用の係合部）５０６Ｋを突出させている（図３４を参照）。
【０２１１】
本体扉枠５０３は係合部（本体扉枠施錠用の係合部）５０６Ｋを外枠５０２の右側内壁面の上下に設けられた係合突起５０２Ｌに係合することで外枠５０２に対して施錠されている。また、本体扉枠５０３の後面部の右端側には、実施例１の扉センサ（開閉検出スイッチ）１０Ｓと同様な扉センサ（開閉検出スイッチ）５０３Ｓが配設されている。そして、本体扉枠５０３が外枠５０２に閉鎖された状態にある場合、この扉センサ５０３Ｓを構成するプランジャの一端部が外枠５０２で押圧され、プランジャの他端部が「扉センサ５０３Ｓに設けられた接点（図示を省略）」に当接するため、扉センサ５０３Ｓから「ＯＦＦ信号（つまり、扉閉信号）」が出力される。一方、「本体扉枠５０３の外枠５０２に対する施錠を解除するための解錠操作」を施錠装置５０７に施して本体扉枠５０３に開放動作を施すと、このプランジャの一端部への外枠５０２からの拘束が解除され、プランジャの他端部が「扉センサ５０３Ｓに設けられた接点（図示を省略）」から離れるため、扉センサ５０３Ｓから「ＯＮ信号（つまり、扉開信号）」を出力される。
【０２１２】
また、図３５に示すように、本体扉枠５０３の右端部において、上方側の部位と、中間側の部位には、各々、貫通孔５０３ｂ、５０３ｃが設けられている。これらの貫通孔５０３ｂ、５０３ｃは、本体扉枠３の前面部及び後面部を貫通する状態に設けられ、各貫通孔５０３ｂ、５０３ｃには、係合部５０７Ｋが挿通されている。このため、係合部５０７Ｋは、本体扉枠５０３の前面部において、その右端部の上方側の部位と中間側の部位とから前方に突出する状態とされている。
【０２１３】
ガラス扉枠（前面枠）５０４は「透明板保持扉枠」の具体例を構成するものであり、図３４に示すように、本体扉枠５０３の前面部側において開閉動作可能な状態に配置されている。つまり、図３２に示すように、本体扉枠３の左端部の上下がヒンジｈ１、ｈ２を介して、本体扉枠５０３の左端部に支持されている。このガラス扉枠５０４は扉枠本体５４１とガラス板５４３と、ガラス板５４３を扉枠本体５４１に保持させる（取り付ける）ための保持部材（図示を省略）とを備えている。このうち、扉枠本体５４１は円形状の開口部５４１ａを有している。この開口部５４１ａは、扉枠本体５４１の前面部及び後面部を貫通する状態に設けられている。そして、ガラス扉枠５０４を閉じた状態としたときに、ガラス扉枠５０４の奥側（背後）に配置される遊技盤５１０の盤面（遊技領域）を、前方（遊技者の側）から視認可能とするためのものである。
【０２１４】
図３３に示すように、扉枠本体５４１の後面部において開口部５４１ａの右側方に位置する部位からは、２つの係合突起５４５、５４５が突出している。これらの係合突起５４５、５４５は上下に所定の間隔をあけて設けられている。また、これらの係合突起５４５、５４５は略Ｌ字状の板状体を用いて構成され、突端部を扉枠本体５４１の右側方に向けている。そして、前述の施錠装置５０７の「ガラス扉枠施錠用の係合部５０７Ｋ、５０７Ｋ」が係合することでガラス扉枠５０４を本体扉枠５０３に対して施錠されている。
【０２１５】
本体扉枠５０３の前面部の右端側上部にも、実施例１の扉センサ（開閉検出スイッチ）１０Ｓと同様な扉センサ（開閉検出スイッチ）５０４Ｓが配設されている。そして、ガラス扉枠（前面枠）５０４が本体扉枠５０３に閉鎖された状態にある場合、この扉センサ５０４Ｓを構成するプランジャの前端部がガラス扉枠（前面枠）５０４で押圧され、プランジャの後端部が「扉センサ５０４Ｓに設けられた接点（図示を省略）」に当接するため、扉センサ５０４Ｓから「ＯＦＦ信号（つまり、扉閉信号）」が出力される。一方、「ガラス扉枠５０４の本体扉枠５０３に対する施錠を解除するための解錠操作」を施錠装置５０７に施してガラス扉枠５０４に開放動作を施すと、このプランジャの前端部へのガラス扉枠５０４からの拘束が解除され、プランジャの後端部が「扉センサ５０４Ｓに設けられた接点（図示を省略）」から離れるため、扉センサ５０４Ｓから「ＯＮ信号（つまり、扉開信号）」を出力される。
【０２１６】
図３２に示すように、遊技機本体５００Ｈの前面部のうちでガラス扉枠５０４の下方の部位に受皿扉ユニット（所謂、上皿部材）５０５が配設され、更にその下方の部位には補助受皿扉ユニット（所謂、下皿部材）５０６とが配設されている。
【０２１７】
このうち、受皿扉ユニット５０５は本体扉枠５０３の前面部のうちでガラス扉枠５０４の下方の部位に開放動作可能な状態に装着されている。この受皿扉ユニット５０５は、図３３に示すように、略矩形の板形状に構成されると共に左端部が本体扉枠５０３の前面部に開閉可能な状態にヒンジを用いて軸支された扉本体５０５Ａと、扉本体５０５Ａから前方に突出する状態に配置された受皿本体５０５Ｂとを具備している。また、扉本体５０５Ａの左端部寄りには導入口５０５ｂが前後に貫通する状態に設けられている。
【０２１８】
図３７に示すように、受皿本体５０５Ｂは皿形状を備えると共に後面部を開口させている。また、受皿本体５０５Ｂは左端側には貯留室５０５Ｅが形成され、この貯留室５０５Ｅは遊技球の取出口５０５Ｄを上方に開口させている。更に、この貯留室５０５Ｅ内で前述の導入口５０５ｂが開放されため、遊技機５００内から排出される遊技球は導入口５０５ｂを通過した後、貯留室５０５Ｅ内に導かれる。
【０２１９】
受皿本体５０５Ｂは、図３６に示すように、平面形状が略半長円形の底壁部５０５Ｆを備えている。この底壁部５０５Ｆの後縁部は左右に延びる略直線状とされ、底壁部５０５Ｆの前縁部は略半長円形状とされつつ遊技機５００の前方に突出する形状されている。この受皿本体５０５Ｂにおいては、前面壁と左側面壁と右側面壁との境界が明確ではない。つまり、受皿本体５０５Ｂの周壁部（但し、後面部を開口部とする周壁部）が貯留室５０５の正面前方から左右の側方に至る部位（つまり、後方を除く部位）を包囲する貯留用堤部５０５Ｇを構成している。
【０２２０】
図３２及び図３６に示すように、貯留用堤部５０５Ｇの前面部の略全域に零出防止体５８５が付設されている。つまり、この零出防止体５８５は曲板を用いて構成され、表裏面（肉厚方向）を前後に向けた状態で貯留用堤部５０５Ｇの前方に上下動可能な付設されている。この零出防止体５８５の前縁部及び後縁部は、貯留用堤部５０５Ｇの前縁部と略同一の経路を描いている。即ち、零出防止体５８５はその裏面部を貯留用堤部５０５Ｇとの間の隙間を、零出防止体５８５の全幅で略一定（約０．５ｍｍ）としつつ貯留用堤部５０５Ｇの前方に立設配置されている。
【０２２１】
貯留用堤部５０５Ｇの前面部両端側には蟻溝状のスライド溝（図示を省略）が上下方向に設けられ、零出防止体５８５の後面部両端側には、このスライド溝にスライド嵌合可能なスライド突起（所謂、蟻型の突起であって、図示を省略）が形成されている。このため、零出防止体５８５はスライド突起をスライド溝内で摺動させつつ、零出防止体５８５の後面部を貯留用堤部５０５Ｇの前面部に摺動させて上下動可能とされている。
【０２２２】
この立設された零出防止体５８５の両端側にも孔部５８５ｍ、５８５ｎが形成されている。これらの孔部５８５ｍ、５８５ｎも零出防止体５８５の前後に貫通しつつ零出防止体５８５の前面部及び後面部において略矩形状に開口している。
【０２２３】
図３７に示すように、貯留用堤部５０５Ｇの両端側からは規制用突起５０５Ｈが突出している。そして、零出防止体５８５はその下端面を左右の規制用突起５０５Ｈに当接させたところで、零出防止体５８５の位置は基準位置（下方限界位置）となる。つまり、この基準位置は、実施例７の遊技機５００が使用状態とされる際の位置（零出防止体５８５の高さ位置）であり、零出防止体５８５がこの基準位置となると、零出防止体５８５の上端面５８５ｇは５０５Ｂ上面部よりも下方に位置する状態となる。そして、この基準位置にある零出防止体５８５を上方に押し上げると、この零出防止体５８５は貯留用堤部５０５Ｇの前面部を摺動しつつ上昇することができる。
【０２２４】
図３６及び図３７に示すように、本体扉枠５０３は実施例１の動作選択用装置７８と同様な構成を備える動作選択用装置７８が配設され、受皿本体５０５Ｂの下方には実施例１の選択動作伝達部材８６と同様な構成を備える選択動作伝達部材８６と実施例１の上昇装置８８と同様な構成を備える上昇装置８８が配設されている。
【０２２５】
実施例７の動作選択用装置７８ではソレノイドコイルへの通電を行わないとき、プランジャ７８ｂの突端部７８ｃは本体扉枠５０３の前面部と略面一な状態（前進位置）となる。一方、ソレノイドコイルへの通電を行うと、プランジャ７８ｂの突端部７８ｃは本体扉枠５０３の前面部の後方に後退した状態（後退位置）となる。
【０２２６】
実施例７の選択動作伝達部材８６も動作選択用装置７８が行う伝達動作を上昇装置８８に伝達したり、この伝達の遮断を行うための装置であり、実施例１のコイルスプリング８６ｄと同様なコイルスプリングから付勢力を受けた状態で前後に進退可能な状態に支持されている。つまり、コイルスプリングから軸心方向に後退する方向への付勢力が負荷されている。
【０２２７】
実施例７の上昇装置８８においても左側伝達部材８８ｂの前方アーム部の前端側を孔部５８５ｍ内に僅かなクリアランスを維持した状態で進入させ、右側伝達部材８８ｃの前端側を孔部５８５ｎ内に僅かなクリアランスを維持した状態で進入させている。
【０２２８】
図３５に示すように、本体扉枠５０３の前面部の右端側下方側にも、実施例１の扉センサ（開閉検出スイッチ）１０Ｓと同様な扉センサ（開閉検出スイッチ）５０５Ｓが配設されている。そして、受皿扉ユニット５０５が本体扉枠５０３に閉鎖された状態にある場合、この扉センサ５０５Ｓを構成するプランジャの前端部が受皿扉ユニット５０５で押圧され、プランジャの後端部が「扉センサ５０５Ｓに設けられた接点（図示を省略）」に当接するため、扉センサ５０５Ｓから「ＯＦＦ信号（つまり、扉閉信号）」が出力される。
【０２２９】
一方、「受皿扉ユニット５０５の本体扉枠５０３に対する施錠を解除するための解錠操作」を施錠装置５０７に施して受皿扉ユニット５０５に開放動作を施すと、このプランジャの前端部への受皿扉ユニット５０５からの拘束が解除され、プランジャの後端部が「扉センサ５０５Ｓに設けられた接点（図示を省略）」から離れるため、扉センサ５０５Ｓから「ＯＮ信号（つまり、扉開信号）」を出力される。
【０２３０】
「受皿扉ユニット５０５の本体扉枠５０３に対する施錠」は、本体扉枠５０３前面部おいてその右端側下部に突出する一対の係合部（受皿扉ユニット施錠用の係合部）５０８Ｋ、５０８Ｋを、受皿扉ユニット５０５の裏面部から突出する係合用突起５０５Ｍ（図３３を参照）に係合することによって行われる。そして、この施錠を解除するための解錠操作は施錠装置５０７に設けられた操作レバ５０７Ｂを手動で操作することによって行われる。つまり、ガラス扉枠５０４が開放状態となると、本体扉枠５０３において受皿扉ユニット５０５の上方に位置する部位に、操作用の開口部５０３Ｗが露呈する。そして、この操作用の開口部５０３Ｗの後方に位置する操作レバ５０７Ｂを手で押し下げることによって行われる。
【０２３１】
実施例７においても、上昇装置８８及び動作選択用装置７８は以下のように作動する。先ず、遊技機５００を構成する全ての扉型部材（受皿扉ユニット５０５、本体扉枠５０３及びガラス扉枠５０４）の遊技機本体５００Ｈに対する閉鎖状態が継続されている場合、つまり、全ての扉センサ５０５Ｓ、５０３Ｓ、５０４ＳからのＯＦＦ信号の出力が継続されている場合には、動作選択用装置７８に通電を行われず、そのプランジャ７８ｂの位置は「前進位置」とされる。このとき、プランジャ７８ｂの突端部７８ｃが選択動作伝達部材８６の後端部８６ｇを前方に押圧するため、選択動作伝達部材８６ｂの後退が禁止される。この結果、零出防止体５８５の状態はその上端面８５ｇを受皿本体８０の上面部よりも下方に位置させた状態（以下、「待避状態」という。）に維持される。
【０２３２】
何れかの扉型部材（受皿扉ユニット５０５、本体扉枠５０３及びガラス扉枠５０４）に開放操作が施され、何れかの扉センサ５０５Ｓ、５０３Ｓ、５０４Ｓが「ＯＮ信号」を出力すると、動作選択用装置７８への通電が開始され、そのプランジャ７８ｂの位置が「後退位置」に移行する。この結果、零出防止体５８５の状態はその上端面５８５ｇを受皿本体５０５Ｂの上面部よりも上方に位置させた状態（以下、「突出状態」という。）に移行する。尚、「突出状態」に移行したときの「零出防止体５８５の受皿本体５０５Ｂの上面部上方への突出量」は種々選択できるが、遊技球の半径を超える量とすることが望ましい。
【０２３３】
図３２に示すように、補助受皿扉ユニット（所謂、下皿部材）５０６は受皿扉ユニット５０５の下方に配設されている。また、補助受皿扉ユニット５０６の左端には灰皿５０６ｂが設けられ、補助受皿扉ユニット５０６の右端には発射ハンドル５０９が設けられている。
【０２３４】
次に図３８及び図３９を用いて本実施例の遊技機５００の制御回路の構成について説明する。本遊技機５００の制御回路は、主制御部１２００Ａと、複数の副制御部（１２２０Ａ、１２４０Ａ、１２６０Ａ）とを含んで構成されている。つまり、主制御基板１２００を用いて構成されると共に遊技の基本的な進行や賞球に関わる当否についての制御を司る主制御部１２００Ａと、複数の副制御部（１２２０Ａ、１２４０Ａ、１２６０Ａ）とを備えている。
【０２３５】
副制御部としては、（ａ）サブ制御基板１２２０を用いて構成されると共に、「図柄表示、ランプの発光、効果音、可動物の動作等を用いた遊技の各種の演出の制御を司るサブ制御部１２２０Ａと、（ｂ）払出制御基板１２４０を用いて構成されると共に貸球や賞球を払い出す動作の制御を司る払出制御部１２４０Ａと、（ｃ）発射制御基板１２６０を用いて構成されると共に遊技球の発射に関する制御を司る発射制御部１２６０Ａを備える。
【０２３６】
「扉センサ５０５Ｓ、５０３Ｓ、５０４Ｓ」から出力される検知信号（開放動作を行ったことを示す検知信号）も、払出制御部２４０Ａ（払出制御基板２４０）に入力されている。つまり、「扉センサ５０５Ｓ、５０３Ｓ、５０４Ｓ」は、中継端子板１２８０を介して払出制御部１２４０Ａ（払出制御基板１２４０）に接続されている。しかも、払出制御部１２４０Ａ（払出制御基板１２４０）と主制御部１２００Ａ（主制御基板１２００）とが双方向通信可能な状態に接続されている。
【０２３７】
このため、各「扉センサ５０５Ｓ、５０３Ｓ、５０４Ｓ」から出力される検知信号は、中継端子板１２８０と、払出制御部１２４０Ａ（払出制御基板１２４０）とを介して、主制御部１２００Ａ（主制御基板１２００）に送信される。そして、外部端子部（外部出力用端子基板）１２００Ｇを経てホールコンピュタＨＰＣに送信される。また、各「扉センサ５０５Ｓ、５０３Ｓ、５０４Ｓ」から出力される検知信号は主制御部１２００Ａ（主制御基板１２００）を経由してサブ制御部１２２０Ａ（サブ制御基板１２２０）にも送信される。
【０２３８】
サブ制御部１２２０Ａ（サブ制御基板１２２０）には、演出表示制御基板１２２２と、アンプ基板１２２４、装飾駆動基板１２２６、演出ボタン基板１２２８などの各種基板が接続されている。また、サブ制御部１２２０Ａ（サブ制御基板１２２０）には、ソレノイド駆動回路部１２５０を介して「実施例７の動作選択用装置７８」が接続されている。
【０２３９】
次に実施例７の「ソレノイド駆動処理」について図４０を用いて説明する。つまり、サブ制御部１２００Ａは何れかの扉センサ５０５Ｓ、５０３Ｓ、５０４ＳからＯＮ信号（扉開信号）が出力されるまで待機する（Ｓ１１）。換言すると、サブ制御部１２００は何れかの扉型部材（受皿扉ユニット５０５、本体扉枠５０３及びガラス扉枠５０４）に開放操作が施されるまで待機する。
【０２４０】
サブ制御部１２００Ａが「何れかの扉センサ５０５Ｓ、５０３Ｓ、５０４ＳからのＯＮ信号（扉開信号）」を受信すると（Ｓ１１；ＹＥＳ）、動作選択用装置（ソレノイド）７８への通電を開始させ、そのプランジャ７８ｂの位置を「後退位置」に退避させる（Ｓ２０）。これに伴って零出防止体５８５の状態が「突出状態」に移行する。
【０２４１】
サブ制御部１２００は何れかの扉型部材（受皿扉ユニット５０５、本体扉枠５０３及びガラス扉枠５０４）の状態が開放状態にある間、動作選択用装置（ソレノイド）７８への通電を継続する。つまり、１個の扉型部材であっても開放状態である間、零出防止体５８５の突出状態を維持したまま、全ての扉型部材が閉鎖状態になるまで待機する（Ｓ３１）。より具体的には全ての扉センサ５０５Ｓ、５０３Ｓ、５０４Ｓが「ＯＦＦ信号（扉閉信号）」を出力する状態になるまで待機する。
【０２４２】
但し、サブ制御部１２００は、全ての扉センサ５０５Ｓ、５０３Ｓ、５０４Ｓから「ＯＦＦ信号（扉閉信号）」を受信しても直ちに動作選択用装置（ソレノイド）７８への通電を停止するのではなく、一定時間（例えば、１秒間）経過した後に動作選択用装置（ソレノイド）７８への通電を停止する（Ｓ４０，Ｓ５０，Ｓ６０）。
【０２４３】
つまり、サブ制御部１２００Ａは、全ての扉センサ５０５Ｓ、５０３Ｓ、５０４Ｓから「ＯＦＦ信号（扉閉信号）」を受信する状態になると（Ｓ３１；ＹＥＳ）、時間計測を開始する（Ｓ４０）。そして、計測時間が一定時間（例えば、１秒間）となったところで（Ｓ５０；ＹＥＳ）、動作選択用装置（ソレノイド）７８への通電を停止する（Ｓ５１）。この通電の停止により、零出防止体５８５の状態は「待避状態」に戻される。
【０２４４】
即ち、実施例７の遊技機５００では、何れかの扉型部材（受皿扉ユニット５０５、本体扉枠５０３及びガラス扉枠５０４）に施される開放操作に伴って零出防止体５８５の状態が「待避状態」から「突出状態」に移行する。また、何れかの扉型部材が開放状態である間、扉型部材に閉鎖操作が施されている最中にも、零出防止体５８５の状態が「突出状態」に維持される。そして、全ての扉型部材の状態が閉鎖状態に戻された後、直ちに零出防止体５８５の状態が「待避状態」に戻されるのではなく、「突出状態」で一定時間（例えば、１秒間）待機した後、待避状態に戻される。
【０２４５】
実施例７によっても実施例１の同様な効果が得られる。また、実施例７の遊技機５００は扉型部材を複数個備える弾球遊技機であり、受皿扉ユニット５０５の開閉操作時のみならず、本体扉枠５０３やガラス扉枠５０４の開閉操作時においても受皿扉ユニット５０５に振動や衝撃を加わり、遊技球の零出を生ずる可能性がある。このため、実施例７によると、弾球遊技機における「遊技球の零出を抑制」をより確実に行うことができる。
【０２４６】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０２４７】
即ち、実施例２〜６は回胴式遊技機への適用例（実施例１の変形例）であったが、これらの実施例の特徴を実施例７の弾球遊技機が備えてもよい。
【０２４８】
また、各実施例では、貯留用堤部の８０Ｆ、５０５Ｇの前面部に零出防止体８５、５８５を付設したが、零出防止体の付設箇所は実施例で例示するものに限定されない。例えば、図４１（ａ）の実線で示す変形例１のように、貯留室５０５Ｅの内壁面を構成する部位のうちで貯留用堤部５０５Ｇによって構成される面部分５２５Ｅに零出防止体５８５が付設されてもよい。
【０２４９】
更に、図４１（ａ）の破線で示す変形例２のように、受皿扉ユニット５０５のうちで、貯留室５０５Ｅの周縁部と受皿扉ユニット５０５の外縁部５１５Ｇとで挟まれる部位（前述の「空き領域部」である。）に零出防止体５８５が埋設されてもよい。
【０２５０】
また、各実施例では零出防止体５８５を板形状に構成したが、零出防止体の態様はこれに限定されない。例えば、図４１（ｂ）の変形例３のように、受皿扉ユニット５０５のうちで、貯留室５０５Ｅの周縁部と受皿扉ユニット５０５の外縁部５１５Ｇとで挟まれる部位に複数個の棒状体５８８を埋設してもよい。
【０２５１】
つまり、複数個の棒状体５８８を受皿本体５０５Ｂの上面部から上方へ出没可能としてもよい。但し、このように連続配置される複数個の棒状体５８８で零出防止体を構成する場合、隣接配置される棒状体５８８間の間隔を遊技媒体１個分の大きさ（遊技メダルの直径、遊技球の直径）以下のサイズとすることが望ましい。
【０２５２】
また、開放検出手段（扉センサ１０Ｓ、５０３Ｓ、５０４Ｓ、５０５Ｓ）を配設する部材を「各扉型部材」及び「各扉型部材」を開閉可能に支持する部材のうちの一方から他方に変更してもよい。例えば、扉センサ１０Ｓを遊技機本体１Ｈではなく、受皿扉ユニット３Ｂに配設してもよい。
【産業上の利用可能性】
【０２５３】
本発明は、遊技機を製造、販売等する分野において利用できる。
【図面の簡単な説明】
【０２５４】
【図１】実施例１〜実施例６に係る遊技機を示す正面図である。
【図２】実施例１〜実施例６に係る遊技機の側面図である。
【図３】実施例１〜実施例６に係る遊技機において受皿扉ユニットを開放した状態を示す斜視図図である。
【図４】（ａ）は実施例１〜実施例６に係る遊技機において図柄表示装置等の要部を説明するための説明図であり、（ｂ）は実施例１〜実施例６に係る遊技機において、図柄表示装置で表示可能な図柄を説明するための説明図である。
【図５】（ａ）及び（ｂ）は実施例１〜実施例６に係る遊技機において扉センサを説明するための説明図である。
【図６】実施例１〜実施例６に係る遊技機を構成する受皿扉ユニットの正面図である。
【図７】実施例１及び実施例２に係る遊技機を構成する受皿扉ユニット等を示す正面図である。
【図８】（ａ）は実施例１の遊技機を構成する零出防止体、上昇装置及び第２の側板部等を示す平面図であり、（ｂ）は実施例１の遊技機を構成する零出防止体、上昇装置及び右側支持部等を示す平面図である。
【図９】（ａ）は実施例１の遊技機を構成する第２の側板部の右側面図、（ｂ）は図９（ｂ）の１−１断面図、（ｃ）は実施例１の遊技機を右側支持部の左側面図、（ｄ）は図９（ｃ）の２−２断面図である。
【図１０】（ａ）零出防止体の左側面図、（ｂ）は図１０（ａ）の３−３断面図、（ｃ）零出防止体の右側面図、（ｄ）は図１０（ｃ）の４−４断面図である。
【図１１】実施例１において零出防止体、上昇装置、右側伝達部材、動作選択用装置、選択動作伝達部材等を説明するための説明図である
【図１２】実施例１において零出防止体、上昇装置、右側伝達部材、動作選択用装置、選択動作伝達部材等を説明するための説明図である
【図１３】（ａ）及び（ｂ）は実施例１において零出防止体、上昇装置、右側伝達部材、選択動作伝達部材等を説明するための説明図である
【図１４】実施例１において零出防止体、上昇装置、右側伝達部材、動作選択用装置、選択動作伝達部材等を説明するための説明図である
【図１５】実施例１〜実施例６に係る遊技機に係る遊技機が備える電子制御装置を示すブロック図である。
【図１６】成立が確定し得る図柄の組み合わせを説明するための説明図である。
【図１７】実施例１〜実施例３のソレノイド駆動処理を説明するためのフロー図である。
【図１８】実施例２において零出防止体、上昇装置、右側伝達部材、動作選択用装置、選択動作伝達部材等を説明するための説明図である
【図１９】実施例２において零出防止体、上昇装置、右側伝達部材、動作選択用装置、選択動作伝達部材等を説明するための説明図である
【図２０】（ａ）は実施例２の遊技機を構成する第２の側板部の右側面図、（ｂ）は図２０（ａ）の５−５断面図、（ｃ）は実施例２の遊技機を構成する零出防止体の右側面図、（ｄ）は図１０（ｃ）の６−６断面図である。
【図２１】実施例３において零出防止体、上昇装置、右側伝達部材、動作選択用装置、選択動作伝達部材等を説明するための説明図である
【図２２】実施例３に係る遊技機を構成する受皿扉ユニット等を示す正面図である。
【図２３】（ａ）は実施例３の遊技機を構成する第２の側板部の右側面図、（ｂ）は図２３（ａ）の１１−１１断面図、（ｃ）は実施例２の遊技機を構成する零出防止体の右側面図、（ｄ）は図２３（ｃ）の１２−１２断面図である。
【図２４】実施例３において零出防止体、上昇装置、右側伝達部材、動作選択用装置、選択動作伝達部材等を説明するための説明図である
【図２５】実施例３において零出防止体、上昇装置、右側伝達部材、動作選択用装置、選択動作伝達部材等を説明するための説明図である
【図２６】実施例４において零出防止体、上昇装置、右側伝達部材、動作選択用装置、選択動作伝達部材等を説明するための説明図である
【図２７】実施例４のソレノイド・モータ駆動処理を説明するためのフロー図である。
【図２８】実施例５において零出防止体、上昇装置、右側伝達部材、動作選択用装置、選択動作伝達部材等を説明するための説明図である
【図２９】実施例５のソレノイド駆動処理を説明するためのフロー図である。
【図３０】（ａ）は実施例６において零出防止体、上昇装置、右側伝達部材、選択動作伝達部材等を説明するための説明図であり、（ｂ）は実施例６の変形例において零出防止体、上昇装置、右側伝達部材、選択動作伝達部材等を説明するための説明図である。
【図３１】実施例６のソレノイド駆動処理を説明するためのフロー図である。
【図３２】実施例７に係る遊技機を示す正面図である。
【図３３】本発明の実施例に係る遊技機においてガラス扉枠及び受皿扉体が開いた状態を示す模式的な斜視図（但し、ハンドル等を省略）である。
【図３４】図３２の２１−２１断面図である。
【図３５】実施例７に係る遊技機においてガラス扉枠を外した状態の模式的な正面図である。
【図３６】図３２の２２−２２断面図である。
【図３７】（ａ）は実施例７の受皿扉ユニットの概略的な縦断面図であり、（ｂ）は実施例７においてスライド溝とスライド突起を説明するための横断面図である。
【図３８】実施例７に係る電子制御装置を示すブロック図である。
【図３９】実施例７に係る電子制御装置を示すブロック図である。
【図４０】実施例６のソレノイド駆動処理を説明するためのフロー図である。
【図４１】（ａ）は変形例１を示す説明図であり、（ｂ）は変形例２を示す説明図である。
【符号の説明】
【０２５５】
１、５００；遊技機、
１Ｈ、５００Ｈ；遊技機本体、
３Ｂ、５０５；受皿扉ユニット、
１０Ｋ、５０７；施錠装置、
１０Ｓ、５０５Ｓ、５０３Ｓ、５０４Ｓ；扉センサ、
７８；動作選択用装置、
２Ｅ；受皿パネル部、
８０、８０Ｄ、５０５Ｂ；受皿本体、
８０Ｆ、５０５Ｇ；貯留用堤部、
８５、８５Ａ、８５Ｄ、５８５；零出防止体、
８６；選択動作伝達部材、
８８；上昇装置（相対変位発生手段）、
８８Ａ、８８Ｅ；下降装置（相対変位発生手段）、
８８ｔ、５０５Ｅ；貯留室、
５０２；外枠、
５０３；本体扉枠、
５０４；ガラス扉枠。
【図１】
0004840704.tif 000002
【図２】
0004840704.tif 000003
【図３】
0004840704.tif 000004
【図４】
0004840704.tif 000005
【図５】
0004840704.tif 000006
【図６】
0004840704.tif 000007
【図７】
0004840704.tif 000008
【図８】
0004840704.tif 000009
【図９】
0004840704.tif 000010
【図１０】
0004840704.tif 000011
【図１１】
0004840704.tif 000012
【図１２】
0004840704.tif 000013
【図１３】
0004840704.tif 000014
【図１４】
0004840704.tif 000015
【図１５】
0004840704.tif 000016
【図１６】
0004840704.tif 000017
【図１７】
0004840704.tif 000018
【図１８】
0004840704.tif 000019
【図１９】
0004840704.tif 000020
【図２０】
0004840704.tif 000021
【図２１】
0004840704.tif 000022
【図２２】
0004840704.tif 000023
【図２３】
0004840704.tif 000024
【図２４】
0004840704.tif 000025
【図２５】
0004840704.tif 000026
【図２６】
0004840704.tif 000027
【図２７】
0004840704.tif 000028
【図２８】
0004840704.tif 000029
【図２９】
0004840704.tif 000030
【図３０】
0004840704.tif 000031
【図３１】
0004840704.tif 000032
【図３２】
0004840704.tif 000033
【図３３】
0004840704.tif 000034
【図３４】
0004840704.tif 000035
【図３５】
0004840704.tif 000036
【図３６】
0004840704.tif 000037
【図３７】
0004840704.tif 000038
【図３８】
0004840704.tif 000039
【図３９】
0004840704.tif 000040
【図４０】
0004840704.tif 000041
【図４１】
0004840704.tif 000042